(57)【特許請求の範囲】
【請求項１】
発行済みトークン管理のための装置であって、
トークンサーバを介して複数の電子デバイスと通信するように構成されたインターフェースと、
コントローラであって、
前記トークンサーバから、前記複数の電子デバイスに関連付けられたユーザによって生成された複数の登録要求を受信し、
前記ユーザに関連付けられた仮想通貨手段について、アカウントおよび前記複数の電子デバイスの各々の対応する識別情報を確認し、
前記確認に基づいて前記複数の電子デバイスの各々にトークンを発行するために、前記トークンサーバに承認を送信し、
前記ユーザのユーザプロファイル内に前記複数の電子デバイスのための前記仮想通貨手段の複数のインスタンシエイションを登録する
ように構成されたコントローラと、
メモリであって、
前記複数の電子デバイスのための前記仮想通貨手段の前記登録された複数のインスタンシエイション、ならびに対応する電子デバイス情報および仮想通貨情報を記憶する
ように構成されたメモリと
を含む発行済みトークン管理のための装置。
【請求項２】
前記コントローラが、さらに、
ユーザ入力に基づく前記仮想通貨手段の前記複数のインスタンシエイションの各々の使用と、
前記トークンに基づく購入の制限を示す前記仮想通貨手段の前記複数のインスタンシエイションの各々の支出制御情報と
を制御するように構成される、
請求項１に記載の発行済みトークン管理のための装置。
【請求項３】
前記仮想通貨手段の前記複数のインスタンシエイションの各々の前記使用が、前記複数の電子デバイスに関連付けられた前記ユーザの金銭的取引パターンの使用による、機械学習および／または自己学習に基づいて自動的に制御される、
請求項２に記載の発行済みトークン管理のための装置。
【請求項４】
前記仮想通貨手段の前記複数のインスタンシエイションの各々の前記使用の前記制御が、前記仮想通貨手段の前記複数のインスタンシエイションの各々の毎日、毎週、毎月、および／または四半期の金銭的取引のための購入要求のための最大閾値、前記仮想通貨手段の前記複数のインスタンシエイションの各々の前記金銭的取引のための前記購入要求の生成のための商店、前記仮想通貨手段の前記複数のインスタンシエイションの各々の前記金銭的取引のための前記購入要求の前記生成のための地理的境界、および／または前記複数の電子デバイスについての前記トークンの非アクティブ化のうちの１つまたは複数に基づく、
請求項２に記載の発行済みトークン管理のための装置。
【請求項５】
前記仮想通貨手段の前記複数のインスタンシエイションの各々の前記支出制御情報が、前記仮想通貨手段の各インスタンシエイションのための前記複数の電子デバイスのうちのある電子デバイスから別の電子デバイスに前記支出制御情報を自動的に継承するように制御される、
請求項２に記載の発行済みトークン管理のための装置。
【請求項６】
前記仮想通貨手段の前記複数のインスタンシエイションの各々の前記支出制御情報が、前記仮想通貨手段の１つ以上のインスタンシエイションのための異なる支出制御情報の構成を可能にするように制御される、
請求項２に記載の発行済みトークン管理のための装置。
【請求項７】
発行済みトークン管理のための装置であって、
電子デバイス内のコントローラを含み、
前記コントローラは、
電子デバイスに関連付けられた、ユーザによって生成された登録要求をトークンサーバに送信し、
前記トークンサーバを介して受信された前記登録要求に応じて、発行元が、前記ユーザに関連付けられた仮想通貨手段について、アカウントおよび前記電子デバイスに対応する識別情報を確認し、前記確認に基づいて前記トークンサーバへ送信した承認に基づいて、発行されたトークンをトークンサーバから受信し、
前記トークンは、仮想通貨手段のインスタンシエイションに利用される情報を含み、
前記受信されたトークンに基づいて前記仮想通貨手段のインスタンシエイションをプロビジョニングし、
前記仮想通貨手段の前記インスタンシエイションの前記プロビジョニングの終了の通知を前記トークンサーバに送信し、前記仮想通貨手段の前記インスタンシエイションが、前記トークンサーバに通信可能に結合された発行元によって登録され、制御される
ように構成される、発行済みトークン管理のための装置。
【請求項８】
前記仮想通貨手段の前記インスタンシエイションが、前記仮想通貨手段のＰＡＮ（primary  account  number）データ、前記仮想通貨手段に関連するメタデータ、前記電子デバイスの電子デバイス情報、およびユーザクレデンシャルにさらに基づいて、前記電子デバイスによって生成される、
請求項７に記載の装置。
【請求項９】
前記トークン内の前記情報が、所定の長さの英数識別子、前記トークンの発行の日時、前記トークンの前記発行の位置、前記電子デバイスのデバイス識別子、および前記電子デバイスのサービスプロバイダのメタデータのうちの１つ以上を含む、請求項７に記載の装置。
【請求項１０】
前記トークンが可逆暗号関数、一方向非可逆ハッシュ関数、またはインデックス関数のうちの１つに基づいて生成される、請求項７に記載の装置。
【請求項１１】
前記コントローラが、さらに、金銭的取引を実行するための購入要求のために前記トークンを前記トークンサーバに送信するように構成されている、請求項７に記載の装置。
【請求項１２】
前記仮想通貨手段が、クレジットカード、デビットカード、ギフトカード、およびクーポンのうちの１つである、請求項７に記載の装置。
【請求項１３】
前記コントローラが、さらに、前記購入要求が前記発行元によって受け入れられたときに第１の応答を、前記購入要求が前記発行元によって拒否されたときに第２の応答を、前記トークンサーバから受信するように構成され、前記トークンサーバが前記第１の応答および前記第２の応答を前記発行元から受信する、請求項１１に記載の装置。
【請求項１４】
前記第１の応答が、前記金銭的取引を実行するための前記購入要求についての最大閾値、前記金銭的取引を実行するための前記購入要求の生成のための好ましい商店、および／または前記金銭的取引を実行するための前記購入要求の前記生成のための地理的境界のうちの１つ以上を含む、請求項１３に記載の装置。
【請求項１５】
前記第２の応答が、前記購入要求の拒否についての通知を含み、前記通知が、テキストベースの通知、音声ベースの通知、およびハプティックフィードバックベースの通知のうちの１つである、請求項１３に記載の装置。
【請求項１６】
ディスプレイデバイスにおいて、前記電子デバイスに発行されたトークン情報を表示するように構成された表示画面を含み、
前記トークン情報が、
トークンに関連付けられた前記電子デバイスを示す電子デバイス情報と、
前記トークンの発行日および有効期限の少なくとも１つを示す時間情報と、
前記トークンにリンクされたクレジットカード、デビットカード、およびプリペイドカード情報の少なくとも１つを示す仮想通貨手段情報と
を含む、
請求項７に記載の装置。
【請求項１７】
前記トークン情報が、前記トークンに基づく購入の制限を示す支出制御情報をさらに含む、
請求項１６に記載の装置。
【請求項１８】
前記支出制御情報が、金額制限、位置制限、および／またはオンライン−オフラインショッピング制限のうちの１つ以上を含む、
請求項１７に記載の装置。
【請求項１９】
発行済みトークン管理のための装置であって、
トークンサーバ内のコントローラを含み、
前記コントローラは、
複数の電子デバイスから、前記複数の電子デバイスに関連付けられたユーザによって生成された複数の要求を受信し、
前記要求が、前記電子デバイスに関連する電子デバイス情報と、仮想通貨手段情報と、ユーザクレデンシャルとを含み、
前記トークンサーバを介して受信された登録要求に応じて、発行元が、前記ユーザに関連付けられた仮想通貨手段について、アカウントおよび前記複数の電子デバイスに対応する識別情報を確認し、前記確認に基づいて、前記発行元から前記トークンサーバへ送信された承認を受信し、
前記承認に基づいて前記電子デバイスのためのトークンを発行し、
前記発行されたトークンに基づいて前記電子デバイスによって生成され、送信された前記仮想通貨手段のインスタンシエイションが前記発行元によって登録されるように、制御する、
ように構成される、
発行済みトークン管理のための装置。
【請求項２０】
前記コントローラが、前記電子デバイスからの購入要求の受信に基づいて、前記トークンのためのＰＡＮ（primary  account  number）データを取り出すように構成される、請求項１９に記載の装置。
【請求項２１】
前記ＰＡＮデータが、前記仮想通貨手段の電子デバイスアカウント番号を表す所定の長さの英数文字セットである、請求項１９に記載の装置。
【請求項２２】
前記コントローラが、前記発行元からの応答を受信するように構成され、前記発行元が、前記電子デバイスのデバイスプロファイルおよび前記電子デバイスに関連付けられたユーザのユーザプロファイルに基づいて前記応答を生成する、請求項１９に記載の装置。
【請求項２３】
前記電子デバイスの前記ユーザプロファイルが、購入要求を介して開始された金銭的取引のメタデータを含む、請求項２２に記載の装置。
【請求項２４】
前記コントローラが、さらに、前記発行元から受信された前記応答を表示のために前記電子デバイスに送信するように構成されている、請求項２２に記載の装置。
【請求項２５】
発行済みトークン管理のための方法であって、
トークンサーバから、発行元によって、複数の電子デバイスに関連付けられたユーザによって生成された複数の登録要求を受信することと、
前記発行元によって、前記ユーザに関連付けられた仮想通貨手段について、アカウントおよび前記複数の電子デバイスの各々の対応する識別情報を確認することと、
前記発行元によって、前記確認に基づいて前記複数の電子デバイスの各々にトークンを発行するために、前記トークンサーバに承認を送信することと、
前記発行元によって、前記ユーザのユーザプロファイル内に前記複数の電子デバイスのための前記仮想通貨手段の複数のインスタンシエイションを登録することと、
前記発行元によって、前記複数の電子デバイスの前記登録された複数のインスタンシエイション、ならびに対応する電子デバイス情報および仮想通貨手段を記憶することと
を含む方法。
【請求項２６】
発行済みトークン管理のための方法であって、
電子デバイスによって、当該電子デバイスに関連付けられた、ユーザによって生成された複数の登録要求をトークンサーバに送信することと、
前記電子デバイスによって、前記トークンサーバを介して受信された前記複数の登録要求に応じて、発行元が、前記ユーザに関連付けられた仮想通貨手段について、アカウントおよび前記電子デバイスの各々の対応する識別情報を確認し、前記確認に基づいて前記トークンサーバへ送信した承認に基づいて、発行されたトークンをトークンサーバから受信することと、
前記トークンが仮想通貨手段のインスタンシエイションに利用される情報を含み、
前記電子デバイスによって、前記受信されたトークンに基づいて前記仮想通貨手段のインスタンシエイションをプロビジョニングすることと、
前記電子デバイスによって、前記仮想通貨手段の前記インスタンシエイションの前記プロビジョニングの終了の通知を前記トークンサーバに送信することであって、前記仮想通貨手段の前記インスタンシエイションが、前記トークンサーバに通信可能に結合された発行元によって登録され、制御される、ことと
を含む方法。
【請求項２７】
発行済みトークン管理のための方法であって、
トークンサーバによって、複数の電子デバイスから、前記複数の電子デバイスに関連付けられたユーザによって生成された複数の要求を受信することと、
前記要求が、前記電子デバイスに関連する電子デバイス情報と、仮想通貨手段情報と、ユーザクレデンシャルとを含み、
前記トークンサーバを介して受信された登録要求に応じて、発行元が、前記ユーザに関連付けられた仮想通貨手段について、アカウントおよび前記複数の電子デバイスに対応する識別情報を確認し、前記確認に基づいて、前記発行元から前記トークンサーバへ送信された承認を受信する、ことと、
前記トークンサーバによって、前記承認に基づいて前記電子デバイスのためのトークンを発行することであって、前記電子デバイスによって生成された前記仮想通貨手段のインスタンシエイションが前記発行元によって登録され、制御される、ことと
を含む方法。
【請求項２８】
ディスプレイデバイスにおいて、複数の電子デバイスに発行されたトークン情報を表示することを含み、
前記トークン情報が、
トークンに関連付けられた前記ディスプレイデバイスを示す電子デバイス情報と、
前記トークンの発行日および有効期限の少なくとも１つを示す時間情報と、
前記トークンにリンクされたクレジットカード、デビットカード、およびプリペイドカード情報の少なくとも１つを示す仮想通貨手段情報と
を含む、
請求項２６に記載の方法。
【発明の詳細な説明】
【技術分野】
【０００１】
関連出願の相互参照
本出願は、２０１５年５月１３日に出願された米国仮出願第６２／１６０，７１１号の優先権を主張し、その開示はその全体が参照により本明細書に組み込まれる。また、本出願は、２０１５年１１月２５日に出願された米国出願第１４／９５１，９００号の優先権を主張し、その開示はその全体が参照により本明細書に組み込まれる。
【０００２】
本開示の様々な実施形態は、発行済みトークン管理のための装置および方法に関する。より詳細には、本開示の様々な実施形態は、仮想通貨手段の複数のインスタンシエイションのための発行済みトークン管理に関する。
【背景技術】
【０００３】
ここ数年、デジタル支払いサービスの分野において数多くの重要な開発が行われている。１つのそのような重要な開発は、仮想通貨手段の非接触モバイル支払いを「トークン化」するためのフレームワークを設定するＥＭＶＣｏ（登録商標）Ｐａｙｍｅｎｔ  Ｔｏｋｅｎｉｚａｔｉｏｎ  Ｓｐｅｃｉｆｉｃａｔｉｏｎである。そのようなフレームワークは、異なる電子デバイスへの異なるトークンの発行を含み得る。異なるトークンは、仮想通貨手段の異なるサブアカウント下で発行され得る。したがって、ユーザが異なる電子デバイスによって実行される金銭的取引を管理し、制御することはかなり面倒な可能性がある。
【０００４】
本出願の残りに、および図面を参照しながら記載されているように、本開示のいくつかの態様との記載されたシステムの比較を通して、従来のおよび伝統的な手法のさらなる制限および欠点が当業者に明らかになるであろう。
【発明の概要】
【課題を解決するための手段】
【０００５】
特許請求の範囲においてより完全に記載されるように、図面の少なくとも１つに示され、および／または図面の少なくとも１つに関連して説明されるように、発行済みトークン管理のための装置および方法が実質的に提供される。
【０００６】
本開示のこれらのおよび他の特徴および利点は、全体を通して同様の参照番号が同様の部分を指す添付の図面とともに、本開示の以下の詳細な説明の検討から認識されよう。
【図面の簡単な説明】
【０００７】
【図１】本開示の一実施形態による、発行済みトークン管理のためのネットワーク環境を示すブロック図である。
【図２】本開示の一実施形態による例示的な電子デバイスを示すブロック図である。
【図３】本開示の一実施形態による例示的なトークンサーバを示すブロック図である。
【図４】本開示の一実施形態による例示的な発行元を示すブロック図である。
【図５Ａ】本開示の一実施形態による、ディスプレイデバイスのダッシュボードにおいてレンダリングされる第１の例示的なグラフィカルユーザインターフェース（ＧＵＩ）である。
【図５Ｂ】本開示の一実施形態による、ディスプレイデバイスのダッシュボードにおいてレンダリングされる第２の例示的なＧＵＩである。
【図５Ｃ】本開示の一実施形態による、ディスプレイデバイスのダッシュボードにおいてレンダリングされる第３の例示的なＧＵＩである。
【図５Ｄ】本開示の一実施形態による、ディスプレイデバイスのダッシュボードにおいてレンダリングされる第４の例示的なＧＵＩである。
【図６Ａ】本開示の一実施形態による、仮想通貨手段の複数のインスタンシエイションの登録のための第１の例示的なシーケンスタイミング図である。
【図６Ｂ】本開示の一実施形態による、仮想通貨手段の複数のインスタンシエイションの使用を制御するための第２の例示的なシーケンスタイミング図である。
【図６Ｃ】本開示の一実施形態による、ディスプレイデバイスにおいてトークン情報を表示するための第３の例示的なシーケンスタイミング図である。
【図７Ａ】本開示の一実施形態による、電子デバイスの登録のための第１の方法を示す第１のフローチャートである。
【図７Ｂ】本開示の一実施形態による、購入要求のための電子デバイスにおいて実施される第２の方法を示す第２のフローチャートである。
【図７Ｃ】本開示の一実施形態による、データ取得要求のための電子デバイスにおいて実施される第３の方法を示す第３のフローチャートである。
【図８Ａ】本開示の一実施形態による、複数のインスタンシエイションを登録するためのトークンサーバにおいて実施される第１の方法を示す第１のフローチャートである。
【図８Ｂ】本開示の一実施形態による、複数の電子デバイスの第１のカテゴリによって生成された購入要求のためのトークンサーバにおいて実施される第２の方法を示す第２のフローチャートである。
【図９Ａ】本開示の一実施形態による、複数の電子デバイスによって生成された登録要求のための発行元において実施される第１の方法を示す第１のフローチャートである。
【図９Ｂ】本開示の一実施形態による、複数の電子デバイスの第１のカテゴリによって生成された購入要求のための発行元において実施される第２の方法を示す第２のフローチャートである。
【図９Ｃ】本開示の一実施形態による、複数の電子デバイスの第２のカテゴリによって生成されたデータ取得要求のための発行元において実施される第３の方法を示す第３のフローチャートである。
【発明を実施するための形態】
【０００８】
発行済みトークン管理のための装置および／または方法において、様々な実装が見つかり得る。以下の実施形態は、当業者が開示された実施形態を作成し使用することを可能にするのに十分詳細に記載される。本開示に基づく他の実施形態が明らかであり、本開示の範囲から逸脱することなくシステム、プロセス、または機械的変更を行うことができることを理解されたい。
【０００９】
以下の説明では、本開示の完全な理解を提供するために多数の具体的な詳細が与えられる。しかしながら、開示された実施形態を、これらの具体的な詳細なしに実施できることは明らかであり得る。本開示を不明瞭にすることを避けるために、いくつかの周知の回路、システム構成、および／またはプロセスステップは詳細には開示されていない。
【００１０】
システムの実施形態を示す図面は、半概略であり、一定の縮尺ではなく、特に、寸法のいくつかは、提示の明瞭性のためであり、図面に誇張されて示されている。いくつかの特徴が共通して複数の実施形態が開示され記載されている場合、それらの例示、説明、および理解を明瞭かつ容易にするために、類似した特徴は、通常、同様の参照番号で説明される。
【００１１】
図１は、本開示の一実施形態による、発行済みトークン管理のためのネットワーク環境を示すブロック図である。図１を参照すると、複数の電子デバイス１０２、トークンサーバ１０４、発行元１０６、通信ネットワーク１０８、およびユーザ１１０が示されている。複数の電子デバイス１０２は、第１のウェアラブル電子デバイス１０２ａ、第２のウェアラブル電子デバイス１０２ｂ、およびディスプレイデバイス１０２ｃを含み得る。複数の電子デバイス１０２、トークンサーバ１０４、および発行元１０６は、通信ネットワーク１０８を介して互いに通信可能に結合され得る。複数の電子デバイス１０２は、ユーザ１１０に関連付けられ得る。第１および第２のウェアラブルデバイスは、着用による使用に限定されず、携帯デバイスとすることもできる。以下の実施形態は、ウェアラブルデバイスの用語を使用するが、当業者は理解されるように、限定されない。例えば、ウェアラブルデバイスを携帯用記憶デバイスで置き換えることが可能であり得る。
【００１２】
複数の電子デバイス１０２は、Ｅｕｒｏｐａｙ、ＭａｓｔｅｒＣａｒｄ、およびＶｉｓａ（ＥＭＶ）（登録商標）ＰＯＳ（ｐｏｉｎｔ−ｏｆ−ｓａｌｅ）端末および／またはポイントカード、ギフトカード、デビットカード、クレジットカードなどのカードのものと類似の機能を実行するように動作可能な支払いアプリケーションをアクティブにするように構成され得る適切な論理、回路、インターフェース、および／またはコードを含み得る。支払いアプリケーションは、複数の電子デバイス１０２のうちの１つ以上にプレインストールされ、ＥＭＶ（登録商標）標準要件に準拠し得る。第１のウェアラブル電子デバイス１０２ａおよび第２のウェアラブル電子デバイス１０２ｂは、プレインストールされた支払いアプリケーションまたはマーチャントアプリケーション、およびオプションのダッシュボードを含み得る。ディスプレイデバイス１０２ｃは、ダッシュボードと、オプションの支払いまたはマーチャントアプリケーションとを含み得る。複数の電子デバイス１０２の例には、限定はしないが、スマートフォン、タブレットコンピュータ、ラップトップ、ＰＤＡ（Ｐｅｒｓｏｎａｌ  Ｄｉｇｉｔａｌ  Ａｓｓｉｓｔａｎｔ）、クライアントデバイス、インターネットプロトコルテレビジョン（ＩＰＴＶ）、時計、リストバンド、眼鏡、コンタクトレンズ、および／または他の情報処理デバイスなどがあり得る。
【００１３】
トークンサーバ１０４は、複数の電子デバイス１０２に対して、デジタルカードなどの仮想通貨手段に関連付けられた複数のトークンを生成し、発行するように構成され得る適切な論理、回路、インターフェース、および／またはコードを含み得る１つ以上のサーバを指し得る。支払いトークンを発行するための許可された当事者としてのトークンサーバ１０４は、複数の個別の機能についての責任を負い得る。これらの責任には、限定はしないが、トークンボールトの運営および維持、支払いトークンの生成および発行、トークンセキュリティ、トークン制御、支払いトークンプロビジョニング、トークン解除、アプリケーションプログラミングインターフェース（ＡＰＩ）の提供、および／またはトークン要求もしくはレジストリ機能などがあり得る。
【００１４】
発行元１０６は、ユーザ１１０などのカード所有者に仮想通貨手段を発行する銀行などの金融機関の１つ以上のサーバを指し得る。発行元１０６は、仮想通貨手段に関連付けられたアカウントまたはクレジットラインにおける金銭的値に対応するデータを含み得る。発行元１０６は、通信ネットワーク１０８を介して金銭的取引のための購入の確認を提供するためにトークンサーバ１０４と通信するように構成され得る適切な論理、回路、インターフェース、および／またはコードを含み得る。トークンサーバ１０４および発行元１０６などの様々なサーバは、当業者によく知られているいくつかの技術の使用によって実装され得る。
【００１５】
通信ネットワーク１０８は、複数の電子デバイス１０２が、例えばトークンサーバ１０４および発行元１０６など１つ以上のサーバと通信することができる媒体を含み得る。通信ネットワーク１０８の例には、限定はしないが、インターネット、クラウドネットワーク、Ｗｉ−Ｆｉ（Wireless  Fidelity）ネットワーク、ワイヤレスローカルエリアネットワーク（ＷＬＡＮ）、ローカルエリアネットワーク（ＬＡＮ）、電話回線（ＰＯＴＳ）、セルラーネットワーク（ＬＴＥ、３ＧＰＰ規格）、および／またはメトロポリタンエリアネットワーク（ＭＡＮ）などがあり得る。ネットワーク環境１００内の様々なデバイスは、様々なワイヤードおよびワイヤレス通信プロトコルに従って、通信ネットワーク１０８に接続するように構成され得る。そのようなワイヤードおよびワイヤレス通信プロトコルの例には、限定はしないが、伝送制御プロトコルおよびインターネットプロトコル（ＴＣＰ／ＩＰ）、ＬＴＥ（Long-Term  Evolution）、ユーザデータグラムプロトコル（ＵＤＰ）、ハイパーテキスト転送プロトコル（ＨＴＴＰ）、ファイル転送プロトコル（ＦＴＰ）、ＺｉｇＢｅｅ、ＥＤＧＥ、赤外線（ＩＲ）、ＩＥＥＥ８０２．１１、８０２．１６、セルラー通信プロトコル、および／またはＢｌｕｅｔｏｏｔｈ（ＢＴ）通信プロトコルなどがあり得る。
【００１６】
動作中、複数の登録要求が、仮想通貨手段に関連付けられたユーザ１１０によって、複数の電子デバイス１０２を介して生成され得る。仮想通貨手段は、クレジットカード、デビットカード、ギフトカード、および／またはクーポンであり得る。複数の登録要求の各々は、複数の電子デバイス１０２に関連する電子デバイス情報、仮想通貨手段情報、および／またはユーザ１１０のユーザクレデンシャルを含み得る。
【００１７】
複数の電子デバイス１０２は、生成された複数の登録要求を、通信ネットワーク１０８を介してトークンサーバ１０４に送信し得る。トークンサーバ１０４はさらに、受信された複数の登録要求を、通信ネットワーク１０８を介して発行元１０６に送信し得る。発行元１０６は、複数の登録要求で受信された情報に基づいて、ユーザ１１０のユーザアカウントを確認し得る。発行元１０６はさらに、受信された情報に基づいて、ユーザ１１０に関連付けられた仮想通貨手段について、複数の電子デバイス１０２の各々の識別情報を確認し得る。この確認に基づいて、発行元１０６は、複数の電子デバイス１０２の各々に異なるトークンを発行するために、トークンサーバ１０４に承認を送信し得る。
【００１８】
受信された承認に基づいて、トークンサーバ１０４は、複数の電子デバイス１０２のための複数のトークンを生成し得る。複数のトークンは、可逆暗号関数、一方向非可逆ハッシュ関数、またはインデックス関数に基づいて生成され得る。複数のトークンの各々は、仮想通貨手段のインスタンシエイションに利用される情報を含み得る。情報は、トークンに関連付けられた関連する電子デバイスを示す電子デバイス情報、トークンの発行日および有効期限のうちの少なくとも１つを示す時間情報、ならびに／またはトークンにリンクされた仮想通貨手段の仮想通貨手段情報を含み得る。情報は、関連する電子デバイスのサービスプロバイダのメタデータをさらに含み得る。生成された複数のトークンの各々は、通信ネットワーク１０８を介して、複数の電子デバイス１０２の関連する電子デバイスに発行され得る。
【００１９】
複数の電子デバイス１０２は、トークンサーバ１０４によって発行された関連するトークンを受信し得る。関連する受信されたトークンに基づいて、仮想通貨手段は、複数の電子デバイス１０２の各々においてインスタンス化され得る。複数の電子デバイス１０２の各々における仮想通貨手段のインスタンシエイションは、いくつかのファクタに基づくインスタンシエイションの生成に対応し得る。ファクタは、関連する受信されたトークン内の情報の少なくとも一部、仮想通貨手段のＰＡＮ（primary  account  number）データ、仮想通貨手段に関連するメタデータ、対応する電子デバイスの電子デバイス情報、および／またはユーザ１１０のユーザクレデンシャルを含み得る。
【００２０】
仮想通貨手段の各インスタンシエイションは仮想カードでもサブアカウントでもないことに留意されよう。受信されたトークンに基づいて、仮想通貨手段のインスタンシエイションが複数の電子デバイス１０２においてプロビジョニングされ得る。複数の電子デバイス１０２は、通信ネットワーク１０８を介してトークンサーバ１０４に通知を送信し得る。通知は、仮想通貨手段の正常にプロビジョニングされたインスタンシエイションに対応し得る。トークンサーバ１０４はさらに、通知を、通信ネットワーク１０８を介して発行元１０６に送信し得る。
【００２１】
受信された通知に基づいて、発行元１０６は、複数の電子デバイス１０２のための仮想通貨手段の複数のインスタンシエイションを、ユーザ１１０に関連するユーザプロファイルに登録し得る。発行元１０６は、仮想通貨手段の登録された複数のインスタンシエイション、対応する電子デバイス情報、および仮想通貨手段情報を記憶するように構成されたデータベースに関連付けられ得る。
【００２２】
一実施形態によれば、仮想通貨手段の各インスタンシエイションの管理は、発行元１０６によって提供されてもよく、トークンサーバ１０４とは無関係であり得る。一実施形態によれば、各金銭的取引は、仮想通貨手段の単一のインスタンシエイションを介して行われてもよい。一実施形態によれば、異なるインスタンシエイションが、異なるＰＯＳ（point-of-sale）端末を介して、同時に使用され得る。
【００２３】
一実施形態によれば、ユーザ１１０は、第１のウェアラブル電子デバイス１０２ａなど登録された複数の電子デバイス１０２の第１のカテゴリを介して購入要求を開始し得る。購入は、通信ネットワーク１０８を介したトークンサーバ１０４への関連する発行済みトークンの送信に基づいて要求され得る。トークンサーバ１０４は、購入要求、関連するトークン、および電子デバイス情報を第１のウェアラブル電子デバイス１０２ａから受信し得る。トークンサーバ１０４は、トークンの妥当性検査を行い得る。トークンサーバ１０４はさらに、妥当性検査が行われたトークンのＰＡＮデータを取り出し得る。ＰＡＮデータは、仮想通貨手段のアカウント番号を表し得る所定の長さの英数文字セットであってもよい。トークンサーバ１０４は、取り出されたＰＡＮデータおよび第１のウェアラブル電子デバイス１０２ａの電子デバイス情報を、通信ネットワーク１０８を介して発行元１０６に送信し得る。一実施形態によれば、トークンサーバ１０４におけるトークンからのＰＡＮデータの取出しは、発行元、取得者、または第１のウェアラブル電子デバイス１０２ａ内のモバイルウォレット機能のコントローラによって要求される。
【００２４】
発行元１０６は、ＰＡＮデータの妥当性検査を行い、第１のウェアラブル電子デバイス１０２ａの受信された電子デバイス情報からデバイスプロファイルを取り出し得る。デバイスプロファイルは、ハードウェア情報、ソフトウェアモジュール情報、および／または第１のウェアラブル電子デバイス１０２ａの他のそのような詳細を含み得る。発行元１０６はさらに、データベースからユーザプロファイルを取り出し得る。ユーザ１１０のユーザプロファイルは、第１のウェアラブル電子デバイス１０２ａのための仮想通貨手段のインスタンシエイションの詳細と、購入要求を介して開始された金銭的取引のメタデータとを含み得る。発行元１０６は、データベースから取り出されたユーザ１１０のユーザプロファイルに基づいて制御情報を決定し得る。制御情報は、仮想通貨手段の複数のインスタンシエイションの各々の使用の制御を含み得る。制御情報は、仮想通貨手段の複数のインスタンシエイションの各々の毎日、毎週、毎月、および／または四半期の金銭的取引についての購入要求のための最大閾値に基づき得る。制御情報はさらに、仮想通貨手段の複数のインスタンシエイションの各々の金銭的取引についての購入要求の生成のための商店、仮想通貨手段の複数のインスタンシエイションの各々の金銭的取引についての購入要求の生成のための地理的境界、および／または複数の電子デバイス１０２のための複数のトークンの非アクティブ化に基づき得る。一実施形態によれば、発行元１０６は、受信されたＰＡＮデータに基づいて認可プロセスのみを実行し得、デバイスプロファイルの妥当性検査など他の上記のプロセスは、トークンサーバ１０４など他のデバイスによって作動され得る。妥当性検査プロセスが発行元１０６以外のデバイスにおいて実行されるとき、ＰＡＮデータの代わりに、デバイスプロファイル、および／または、関連するトークンに関連付けられた第１のウェアラブル電子デバイス１０２ａの他のそのような詳細を記憶できるデータベースが存在し得る。そのような場合、データベースは、トークンサーバ１０４に関連付けられ得る。一実施形態によれば、トークンサーバ１０４は、デバイスプロファイルおよび関連するトークンを記憶するデータベースを含み得る。そのような場合、トークンサーバ１０４は、受信された購入要求に基づいて、（認証要求と共に）複数のインスタンシエイションの各々に関する追加情報を発行元１０６に送信し得る。発行元１０６が複数のインスタンシエイションの各々の使用を制御することは有用であり得る。
【００２５】
発行元１０６は、ユーザ１１０によって提供される制御情報に基づいて、仮想通貨手段の複数のインスタンシエイションの各々の使用を制御するように動作可能であり得る。ユーザ１１０は、図５Ａに示すように、グラフィカルユーザインターフェースを介して制御情報を提供し得る。例えば、ユーザ１１０は、仮想通貨手段の複数のインスタンシエイションの各々の支出制御情報の入力を提供し得る。支出制御情報の入力は、仮想通貨手段の複数のインスタンシエイションによって実行される購入の制限を示し得る。一実施形態によれば、複数のインスタンシエイションの各々の使用は、機械学習および／または自己学習に基づいて、第１のウェアラブル電子デバイス１０２ａに関連付けられたユーザ１１０の金銭的取引パターンの使用によって自動的に制御され得る。支出制御情報は、金額制限、位置制限、および／またはオンライン−オフラインショッピング制限であり得る。支出制御情報は、仮想通貨手段の複数のインスタンシエイションによって実行される購入の制限を示し得る。一実施形態によれば、発行元１０６は、受信されたＰＡＮデータに基づいて認可プロセスのみを実行し得、インスタンシエイションの使用制御など他の上記のプロセスは、トークンサーバ１０４など他の場所によって作動され得る。また、例えば支出制御のみなど、使用制御の一部が発行元１０６によって実行されることも可能であり得る。
【００２６】
発行元１０６は、制御情報に基づいて、トークンサーバ１０４に応答を送信し得る。この応答は、第１のウェアラブル電子デバイス１０２ａのデバイスプロファイルと、第１のウェアラブル電子デバイス１０２ａに関連付けられたユーザ１１０のユーザプロファイルとに基づき得る。応答は、購入要求が発行元１０６によって受け入れられたときの第１の応答、または購入要求が発行元１０６によって拒否されたときの第２の応答であり得る。トークンサーバ１０４は、発行元１０６から受信された第１または第２の応答を第１のウェアラブル電子デバイス１０２ａに送信し得る。第１または第２の応答は、トークンサーバ１０４を経由することなく、発行元１０６から第１のウェアラブル電子デバイス１０２ａに直接送信され得る。第１の応答は、金銭的取引を実行するための購入要求の最大閾値、金銭的取引を実行するための購入要求の生成のための好ましい商店、および／または金銭的取引を実行するための購入要求の生成のための地理的境界を含み得る。地理的境界は、インスタンシエイションのための許可された場所のホワイトリストで置き換えられてもよい。第２の応答は、購入要求の拒否の通知を含み得る。この通知は、テキストベースの通知、音声ベースの通知、および／またはハプティックフィードバックに基づく通知であり得る。トークンサーバ１０４または発行元１０６はさらに、表示のために第１のウェアラブル電子デバイス１０２ａに第１の応答を送信し得る。
【００２７】
一実施形態によれば、ユーザ１１０は、仮想通貨手段の複数のインスタンシエイションについてのデータ取得要求を提供し得る。データ取得要求は、ディスプレイデバイス１０２ｃなど複数の電子デバイス１０２の第２のカテゴリを介して、ユーザ１１０によって提供され得る。そのようなデータ取得要求は、ディスプレイデバイス１０２ｃを介してユーザ１１０によって提供され得る。それにもかかわらず、本開示はそれに限定されず、データ取得要求は、本開示の範囲を限定することなく、複数の電子デバイス１０２の第１のカテゴリを介してユーザ１１０によって提供されてもよい。
【００２８】
ディスプレイデバイス１０２ｃは、通信ネットワーク１０８を介してトークンサーバ１０４にデータ取得要求を送信し得る。トークンサーバ１０４は、受信されたトークンの妥当性検査を行い、妥当性検査が行われたトークンのＰＡＮデータを取り出し、取り出されたＰＡＮデータおよびディスプレイデバイス１０２ｃの電子デバイス情報を、通信ネットワーク１０８を介して発行元１０６に送信し得る。発行元１０６は、ＰＡＮデータの妥当性検査を行い、複数の電子デバイス１０２に関連付けられたデバイスプロファイルを取り出し得る。そのような複数の電子デバイス１０２は、ユーザ１１０に関連付けられた仮想通貨手段の複数のインスタンシエイションに対応し得る。
【００２９】
発行元１０６はさらに、データベースからユーザ１１０のユーザプロファイルを取り出し得る。発行元１０６は、複数の電子デバイス１０２の取り出されたデバイスプロファイルおよびユーザ１１０のユーザプロファイルに基づいて、トークン情報を決定し得る。トークン情報は、トークンが発行される電子デバイスの関連する電子デバイス情報を含み得る。トークン情報は、関連するトークンの発行日および／または有効期限の少なくとも１つを示し得る時間情報をさらに含み得る。トークン情報は、関連するトークンにリンクされた仮想通貨手段情報をさらに含み得る。一実施形態によれば、トークン情報は、関連するトークンに基づく購入の限度を示し得る支出制御情報をさらに含み得る。支出制御情報は、金額制限、位置制限、および／またはオンライン−オフラインショッピング制限のうちの１つ以上であり得る。
【００３０】
発行元１０６は、仮想通貨手段の複数のインスタンシエイションの決定されたトークン情報を、通信ネットワーク１０８を介してトークンサーバ１０４に送信し得る。トークンサーバ１０４はさらに、トークン情報を、通信ネットワーク１０８を介してディスプレイデバイス１０２ｃに送信し得る。ディスプレイデバイス１０２ｃは、仮想通貨手段の複数のインスタンシエイションに関連付けられた受信されたトークン情報をダッシュボード上にレンダリングし得る。
【００３１】
図２は、本開示の一実施形態による例示的な電子デバイスを示すブロック図である。図２は、図１の要素と関連して説明される。図２を参照すると、複数の電子デバイス１０２が示されている。複数の電子デバイス１０２の各々は、コントローラ２０２、メモリ２０４、Ｉ／Ｏデバイス２０６など１つ以上の入出力（Ｉ／Ｏ）デバイス、およびトランシーバ２０８など、１つ以上のプロセッサを含み得る。さらに、購入要求および／またはデータ取得要求を実行するためにコントローラ２０２によって実行される支払アプリケーション２０４ａが示されている。
【００３２】
コントローラ２０２は、メモリ２０４、Ｉ／Ｏデバイス２０６、およびトランシーバ２０８に接続されていてもよい。トランシーバ２０８は、通信ネットワーク１０８を介して、トークンサーバ１０４など１つ以上のサーバおよび他の外部装置と通信するように動作可能であり得る。支払いアプリケーション２０４ａは、複数の電子デバイス１０２にプリインストールされていてもよい。
【００３３】
コントローラ２０２は、メモリ２０４に記憶された命令セットを実行するように動作可能であり得る適切な論理、回路、インターフェース、および／またはコードを含み得る。コントローラ２０２は、当技術分野で知られているいくつかのプロセッサ技術に基づいて実施され得る。コントローラ２０２の例は、Ｘ８６ベースプロセッサ、ＲＩＳＣ（Reduced  Instruction  Set  Computing）プロセッサ、ＡＳＩＣ（Application-Specific  Integrated  Circuit）プロセッサ、ＣＩＳＣ（Complex  Instruction  Set  Computing）プロセッサ、および／または他のプロセッサであり得る。
【００３４】
メモリ２０４は、コントローラ２０２によって実行可能な命令セットを記憶するように動作可能であり得る適切な論理、回路、および／またはインターフェースを含み得る。メモリ２０４の実装形態の例には、限定はしないが、ランダムアクセスメモリ（ＲＡＭ）、読取り専用メモリ（ＲＯＭ）、ハードディスクドライブ（ＨＤＤ）、および／またはセキュアデジタル（ＳＤ）カードなどがあり得る。
【００３５】
支払いアプリケーション２０４ａは、デジタルウォレットおよび／またはトークンベースの支払いアプリケーションを指し得る。１つ以上の仮想通貨手段は、支払いアプリケーション２０４ａの使用によって構成および／または登録され得る。一実施形態によれば、支払いアプリケーション２０４ａは、仮想通貨手段に関連付けられたトークンを、複数の電子デバイス１０２の１つ以上のソフトウェアモジュールに通信するように構成され得る。支払いアプリケーション２０４ａは、購入要求、関連するトークン、および電子デバイス情報を、ＰＯＳ端末またはトークンサーバ１０４などの外部装置に通信するように構成され得る。この通信は、ニアフィールド通信（ＮＦＣ）プロトコルなど１つ以上のプロトコルの使用によってトランシーバ２０８を介して行われ得る。
【００３６】
Ｉ／Ｏデバイス２０６は、ユーザ１１０からの入力を受信するように動作可能であり得る適切な論理、回路、インターフェース、および／またはコードを含み得る。Ｉ／Ｏデバイス２０６は、ユーザ１１０に出力を提供するようにさらに動作可能であり得る。一実施形態によれば、Ｉ／Ｏデバイス２０６は、ディスプレイデバイス１０２ｃ用のダッシュボード２０６ａを含み得る。Ｉ／Ｏデバイス２０６は、コントローラ２０２と通信するように動作可能であり得る様々な入出力デバイスを含み得る。入力デバイスの例には、限定はしないが、タッチスクリーン、キーボード、マウス、ジョイスティック、マイクロフォン、モーションセンサー、光センサー、および／またはドッキングステーションなどがあり得る。出力デバイスの例には、限定はしないが、ダッシュボード２０６ａおよび／またはスピーカーなどがあり得る。
【００３７】
トランシーバ２０８は、通信ネットワーク１０８を介して、トークンサーバ１０４および発行元１０６など１つ以上のサーバと通信するように構成され得る適切な論理、回路、インターフェース、および／またはコードを含み得る。トランシーバ２０８は、通信ネットワーク１０８との複数の電子デバイス１０２のワイヤードまたはワイヤレス通信をサポートするための既知の技術を実施し得る。トランシーバ２０８は、限定はしないが、アンテナ、無線周波数（ＲＦ）トランシーバ、１つ以上の増幅器、チューナ、１つ以上の発振器、デジタル信号プロセッサ、コーダ／デコーダ（ＣＯＤＥＣ）チップセット、および／またはローカルバッファを含み得る。トランシーバ２０８は、インターネット、イントラネット、および／またはワイヤレスネットワーク、例えば、セルラー電話ネットワーク、ワイヤレスローカルエリアネットワーク（ＬＡＮ）、および／またはメトロポリタンエリアネットワーク（ＭＡＮ）などのネットワークとワイヤレス通信を介して通信し得る。ワイヤレス通信は、ＧＳＭ（Global  System  for  Mobile  Communications）、ＥＤＧＥ（Enhanced  Data  GSM  Environment）、広帯域符号分割多元接続（Ｗ−ＣＤＭＡ）、符号分割多元接続（ＣＤＭＡ）、時分割多元接続（ＴＤＭＡ）、ニアフィールド通信（ＮＦＣ）、Ｂｌｕｅｔｏｏｔｈ、Ｗｉ−Ｆｉ（Wireless  Fidelity）（ＩＥＥＥ８０２．１１ａ、ＩＥＥＥ８０２．１１ｂ、ＩＥＥＥ８０２．１１ｇおよび／またはＩＥＥＥ８０２．１１ｎなど）、ＶｏＩＰ（voice  over  Internet  Protocol）、ＬＴＥ、Ｗｉ−ＭＡＸ、電子メール、インスタントメッセージング、ＭＭＳ、および／またはショートメッセージサービス（ＳＭＳ）のためのプロトコルなど、複数の通信規格、プロトコル、および技術のうちの任意のものを使用し得る。
【００３８】
動作中、複数の登録要求は、クレジットカードなど、仮想通貨手段に関連付けられたユーザ１１０によって生成され得る。複数の登録要求は、Ｉ／Ｏデバイス２０６を介して、ユーザ１１０によって生成され得る。各要求は、複数の電子デバイス１０２に関連する電子デバイス情報、仮想通貨手段情報、およびユーザ１１０のユーザクレデンシャルを含み得る。コントローラ２０２は、トランシーバ２０８を介して、トークンサーバ１０４に登録要求を送信し得る。コントローラ２０２は、送信された登録要求に応答して、ユーザ１１０に関連付けられた仮想通貨手段のためにトークンサーバ１０４によって発行されたトークンを受信し得る。受信されたトークンに基づいて、コントローラ２０２は、受信されたトークン内の情報、仮想通貨手段のＰＡＮデータ、仮想通貨手段に関連するメタデータ、複数の電子デバイス１０２の電子デバイス情報、および／またはユーザ１１０のユーザクレデンシャルの少なくとも一部に基づいて、仮想通貨手段をインスタンス化し得る。
【００３９】
受信されたトークンに基づいて、コントローラ２０２は、仮想通貨手段のインスタンシエイションのプロビジョニングをさらに実行し得る。コントローラ２０２は、トランシーバ２０８を介してトークンサーバ１０４に通知を送信し得る。この通知は、仮想通貨手段の正常にプロビジョニングされたインスタンシエイションに対応し得る。トランシーバ２０８はさらに、通信ネットワーク１０８を介してトークンサーバ１０４に通知を送信し得る。
【００４０】
受信された通知に基づいて、発行元１０６は、複数の電子デバイス１０２の仮想通貨手段の複数のインスタンシエイションを、ユーザ１１０のユーザプロファイルに登録し得る。発行元１０６は、仮想通貨手段の登録された複数のインスタンシエイション、ならびに対応する電子デバイス情報および仮想通貨手段情報を記憶するように構成されたデータベースに関連付けられ得る。
【００４１】
一実施形態によれば、コントローラ２０２は、購入要求、関連するトークン、および電子デバイス情報を、トランシーバ２０８を介してトークンサーバ１０４に送信し得る。購入要求は、支払いアプリケーション２０４ａによって開始され得る。購入要求に応答して、コントローラ２０２は、トークンサーバ１０４から第１の応答または第２の応答を受信し得る。第１の応答は、金銭的取引を実行するための購入要求の最大閾値、金銭的取引を実行するための購入要求の生成のための好ましい商店、および／または金銭的取引を実行するための購入要求の生成のための地理的境界を含み得る。第２の応答は、購入要求の拒否の通知を含み得る。
【００４２】
一実施形態によれば、ユーザ１１０は、仮想通貨手段の複数のインスタンシエイションに関連付けられたトークン情報についてのデータ取得要求を提供し得る。そのようなデータ取得要求は、ディスプレイデバイス１０２ｃを介してユーザ１１０によって提供され得る。ディスプレイデバイス１０２ｃは、データ取得要求およびトークンをトークンサーバ１０４に送信し得る。トークンサーバ１０４は、受信されたトークンの妥当性検査を行い、妥当性検査が行われたトークンのＰＡＮデータを取り出し、取り出されたＰＡＮデータおよびディスプレイデバイス１０２ｃの電子デバイス情報を、発行元１０６に送信し得る。
【００４３】
発行元１０６は、ＰＡＮデータの妥当性検査を行い、電子デバイス情報から複数の電子デバイス１０２に関連付けられたデバイスプロファイルを取り出し得る。そのような複数の電子デバイス１０２は、ユーザ１１０に関連付けられた仮想通貨手段の複数のインスタンシエイションに関連付けられ得る。発行元１０６はさらに、データベースからユーザ１１０のユーザプロファイルを取り出し得る。発行元１０６は、複数の電子デバイス１０２の取り出されたデバイスプロファイルおよびユーザ１１０のユーザプロファイルに基づいて、複数のインスタンシエイションについてのトークン情報を決定し得る。トークン情報は、トークンが発行される電子デバイスに対応する電子デバイス情報を含み得る。トークン情報は、対応するトークンの発行日および／または有効期限の少なくとも１つを示し得る時間情報をさらに含み得る。トークン情報は、関連するトークンにリンクされた仮想通貨手段情報をさらに含み得る。一実施形態によれば、トークン情報は、関連するトークンに基づく購入の限度を示し得る支出制御情報をさらに含み得る。
【００４４】
発行元１０６は、仮想通貨手段の複数のインスタンシエイションの決定されたトークン情報を、トークンサーバ１０４に送信し得る。トークンサーバ１０４はさらに、トークン情報をディスプレイデバイス１０２ｃに送信し得る。ディスプレイデバイス１０２ｃは、仮想通貨手段の複数のインスタンシエイションに関連付けられた受信されたトークン情報をダッシュボード上にレンダリングし得る。
【００４５】
図３は、本開示の一実施形態による例示的なトークンサーバを示すブロック図である。図３は、図１の要素と関連して説明される。図３を参照すると、トークンサーバ１０４が示されている。トークンサーバは、コントローラ３０２、メモリ３０４、トークンボールト３０６、およびトランシーバ３０８など、１つ以上のプロセッサを含み得る。
【００４６】
コントローラ３０２は、メモリ３０４に記憶された命令セットを実行するように動作可能であり得る適切な論理、回路、インターフェース、および／またはコードを含み得る。コントローラ３０２はさらに、仮想通貨手段のＰＡＮデータが「トークン」などの代理値で置き換えられ得るトークン化を実行するように動作可能であり得る。コントローラ３０２はさらに、トークンボールト３０６から取り出されたＰＡＮデータに対応するトークンをマッピングするように動作可能である。コントローラ３０２は、ユーザ１１０およびユーザアカウントの関連するデータを保護するために、暗号キーを管理するようにさらに動作可能であり得る。コントローラ３０２は、当技術分野で知られているいくつかのプロセッサ技術に基づいて実施され得る。コントローラ３０２の例は、Ｘ８６ベースプロセッサ、ＲＩＳＣ（Reduced  Instruction  Set  Computing）プロセッサ、ＡＳＩＣ（Application-Specific  Integrated  Circuit）プロセッサ、ＣＩＳＣ（Complex  Instruction  Set  Computing）プロセッサ、および／または他のプロセッサであり得る。
【００４７】
メモリ３０４は、コントローラ３０２によって実行可能な命令セットを記憶するように動作可能であり得る適切な論理、回路、および／またはインターフェースを含み得る。メモリ３０４の実装形態の例には、限定はしないが、ランダムアクセスメモリ（ＲＡＭ）および読取り専用メモリ（ＲＯＭ）などがあり得る。
【００４８】
トークンボールト３０６は、ユーザ１１０に関連する詳細、ユーザ１１０に関連する電子デバイスへの発行済みトークン、およびユーザ１１０に関連する仮想通貨手段の暗号化されたＰＡＮデータを記憶するように動作可能であり得る適切な論理、回路、および／またはインターフェースを含み得る。そのような詳細は、トークンがＰＡＮデータとマッピングされるときにコントローラ３０２によって要求され得る。メモリ３０４の実装形態の例には、限定はしないが、ハードディスクドライブ（ＨＤＤ）、フラッシュドライブ、および／またはセキュアデジタル（ＳＤ）カードなどがあり得る。トランシーバ３０８の機能は、図２で説明したトランシーバ２０８の機能と同様であり得る。
【００４９】
動作中、コントローラ３０２は、トランシーバ３０８を介して、複数の電子デバイス１０２によって生成された複数の登録要求を受信し得る。コントローラ３０２はさらに、受信された複数の登録要求を、トランシーバ３０８を介して発行元１０６に送信し得る。送信された複数の登録要求に応答して、コントローラ３０２は、トランシーバ３０８を介して、複数の電子デバイス１０２の各々に異なるトークンを発行するために、発行元１０６から承認を受信し得る。
【００５０】
受信された承認に基づいて、コントローラ３０２は、メモリ３０４から取り出された１つ以上のトークン生成アルゴリズムに基づいて複数のトークンを生成し得る。１つ以上のトークン生成アルゴリズムの例には、限定はしないが、可逆暗号関数、一方向非可逆ハッシュ関数、および／またはインデックス関数などがあり得る。それにもかかわらず、本開示はそれに限定されず、複数のトークンを生成するために、当技術分野で知られている他の１つ以上のトークン生成アルゴリズムが実装されてもよい。
【００５１】
コントローラ３０２は、生成された複数のトークンを、ＰＡＮデータストレージのＰＣＩ  ＤＳＳ（Payment  Card  Industry  Data  Security  Standard）要件などの標準仕様に基づいてトークンボールト３０６に記憶し得る。複数のトークンの各々は、ユーザ１１０に関連する仮想通貨手段のインスタンシエイションの生成に利用され得る情報を含み得る。
【００５２】
コントローラ３０２は、生成された複数のトークンを、トランシーバ３０８を介して、複数の電子デバイス１０２の関連する電子デバイスに発行し得る。関連する受信されたトークンに基づいて、コントローラ２０２によって、複数の電子デバイス１０２の各々について、仮想通貨手段の異なるインスタンシエイションが生成され得る。コントローラ３０２は、トランシーバ３０８を介して、複数の電子デバイス１０２の各々から通知を受信し得る。この通知は、複数の電子デバイス１０２における仮想通貨手段の正常にプロビジョニングされたインスタンシエイションに対応し得る。コントローラ３０２は、受信された通知を、トランシーバ３０８を介して発行元１０６に送信し得る。この通知に基づいて、発行元１０６は、複数の電子デバイス１０２の仮想通貨手段の複数のインスタンシエイションを、ユーザ１１０のユーザプロファイルに登録し得る。
【００５３】
一実施形態によれば、複数の電子デバイス１０２が登録されると、コントローラ３０２は、購入要求のためのトークンを受信し得る。トークンは、電子デバイス情報と共に、トランシーバ３０８を介して、第１のウェアラブル電子デバイス１０２ａなど、登録された複数の電子デバイス１０２の１つ以上から受信され得る。コントローラ３０２は、電子デバイス情報に基づいて第１のウェアラブル電子デバイス１０２ａを認証し得る。コントローラはさらに、第１のウェアラブル電子デバイス１０２ａから受信されたトークンの妥当性検査を行い得る。妥当性検査の成功に基づいて、コントローラ３０２は、妥当性検査が行われたトークンに関連付けられたデータについてトークンボールト３０６に問合せを行い得る。一実施形態によれば、トークンボールト３０６にそのようなトークンが存在しないとき、コントローラ３０２は、購入要求を終了し、その後監視され得る関連する情報を記録し得る。一実施形態によれば、そのようなトークンがトークンボールト３０６に見つかると、コントローラ３０２は、妥当性検査が行われたトークンのＰＡＮデータを取り出し得る。
【００５４】
コントローラ３０２は、取り出されたＰＡＮデータおよび第１のウェアラブル電子デバイス１０２ａの電子デバイス情報を、トランシーバ３０８を介して発行元１０６に送信し得る。一実施形態によれば、制御情報は、発行元１０６によって決定され得、応答はコントローラ３０２に送信される。コントローラ３０２は、発行元１０６から応答を受信し得る。応答は、購入要求が発行元１０６によって受け入れられたときの第１の応答、または購入要求が発行元１０６によって拒否されたときの第２の応答であり得る。コントローラ３０２は、受信された第１または第２の応答を、トランシーバ３０８を介して第１のウェアラブル電子デバイス１０２ａに送信し得る。
【００５５】
図４は、本開示の一実施形態による例示的な発行元を示すブロック図である。図４は、図１の要素と関連して説明される。図４を参照すると、発行元１０６が示されている。発行元１０６は、コントローラ４０２、メモリ４０４、データベース４０６、およびトランシーバ２０８など、１つ以上のプロセッサを含み得る。コントローラ４０２は、メモリ４０４、データベース４０６、およびトランシーバ４０８に接続されていてもよい。トランシーバ４０８は、トランシーバ４０８を介して、トークンサーバ１０４など１つ以上のサーバおよび他の外部装置と通信するように動作可能であり得る。
【００５６】
コントローラ４０２は、メモリ４０４に記憶された命令セットを実行するように動作可能であり得る適切な論理、回路、インターフェース、および／またはコードを含み得る。コントローラ４０２は、複数の電子デバイス１０２のための仮想通貨手段の複数のインスタンシエイションを登録し、管理し得る。コントローラ４０２は、当技術分野で知られているいくつかのプロセッサ技術に基づいて実施され得る。コントローラ４０２の例は、図２で説明したコントローラ２０２の例と同様であり得る。メモリ４０４は、コントローラ４０２によって実行可能な命令セットを記憶するように動作可能であり得る適切な論理、回路、および／またはインターフェースを含み得る。メモリ４０４の例は、図２で説明したメモリ２０４の例と同様であり得る。
【００５７】
データベース４０６は、仮想通貨手段の登録された複数のインスタンシエイションを記憶するように動作可能であり得る適切な論理、回路、および／またはインターフェースを含み得る。登録された複数のインスタンシエイションに対応するデータベース４０６はさらに、電子デバイス情報および仮想通貨手段情報を記憶し得る。データベース４０６はさらに、仮想通貨手段の複数のインスタンシエイションの各々の支出制御情報を記憶し得る。データベース４０６の実装形態の例には、限定はしないが、ハードディスクドライブ（ＨＤＤ）、フラッシュメモリ、および／またはセキュアデジタル（ＳＤ）カードなどがあり得る。トランシーバ４０８の機能は、図２で説明したトランシーバ２０８の機能と同様であり得る。
【００５８】
動作中、コントローラ４０２は、トランシーバ４０８を介してトークンサーバ１０４から複数の登録要求を受信し得る。複数の登録要求は、ユーザ１１０に関連付けられた複数の電子デバイス１０２からトークンサーバ１０４によって受信され得る。ユーザ１１０はさらに、仮想通貨手段に関連付けられ得る。コントローラ４０２は、複数の登録要求における情報に基づいて、ユーザ１１０のユーザアカウントを確認し得る。コントローラ４０２は、ユーザ１１０に関連付けられた仮想通貨手段について、複数の電子デバイス１０２の各々の識別情報をさらに確認し得る。この確認に基づいて、コントローラ４０２は、複数の電子デバイス１０２の各々に異なるトークンを発行するために、トランシーバ４０８を介してトークンサーバ１０４に承認を送信し得る。
【００５９】
発行されたトークンに基づいて、仮想通貨手段のインスタンシエイションが複数の電子デバイス１０２においてプロビジョニングされ得る。コントローラ４０２は、トランシーバ４０８を介してトークンサーバ１０４から通知を受信し得る。この通知は、仮想通貨手段の正常にプロビジョニングされたインスタンシエイションに対応し、トランシーバ３０８を介して複数の電子デバイス１０２からトークンサーバ１０４によって受信され得る。
【００６０】
受信された通知に基づいて、コントローラ４０２は、複数の電子デバイス１０２の仮想通貨手段の複数のインスタンシエイションを、ユーザ１１０のユーザプロファイルに登録し得る。ユーザプロファイルは、データベース４０６に記憶され得る。コントローラ４０２はさらに、電子デバイス情報と、仮想通貨手段の登録された複数のインスタンシエイションに対応する仮想通貨手段情報とを記憶し得る。
【００６１】
一実施形態によれば、仮想通貨手段の複数のインスタンシエイションが複数の電子デバイス１０２について登録されると、ユーザ１１０は、購入要求を生成し、発行済みトークンをトークンサーバ１０４に送信し得る。コントローラ４０２は、トランシーバ４０８を介して、トークンサーバ１０４からＰＡＮデータおよび第１のウェアラブル電子デバイス１０２ａの電子デバイス情報を受信し得る。コントローラ４０２は、ＰＡＮデータの妥当性検査を行い、第１のウェアラブル電子デバイス１０２ａの受信された電子デバイス情報からデバイスプロファイルを取り出し得る。コントローラ４０２はさらに、データベース４０６からユーザプロファイルを取り出し得る。ユーザ１１０のユーザプロファイルは、第１のウェアラブル電子デバイス１０２ａのための仮想通貨手段のインスタンシエイションの詳細と、購入要求を介して開始された金銭的取引のメタデータとを含み得る。コントローラ４０２は、第１のウェアラブル電子デバイス１０２ａの取り出されたデバイスプロファイルおよびユーザ１１０のユーザプロファイルに基づいて制御情報を決定し得る。
【００６２】
一実施形態によれば、コントローラ４０２は、ユーザ１１０によって提供される制御情報に基づいて、仮想通貨手段の複数のインスタンシエイションの各々の使用を制御するように動作可能であり得る。ユーザ１１０は、図５Ａに示すように、グラフィカルユーザインターフェースを介して制御情報を提供し得る。例えば、ユーザ１１０は、支出位置制御または支出カテゴリ制御などの支出制御情報の入力を提供し得る。一実施形態によれば、複数のインスタンシエイションの各々の使用は、機械学習および／または自己学習に基づいて、第１のウェアラブル電子デバイス１０２ａに関連付けられたユーザ１１０の金銭的取引パターンの使用によって自動的に制御され得る。例えば、過去１ヶ月以上のユーザ１１０の金銭的取引パターンは、取引が、ユーザ１１０によって手動で提供される「ＵＳＤ２００」など購入の特定の制限に基づいて実行されることを示し得る。さらに、食品（７００〜１００ＵＳＤ）、娯楽（４００〜５００ＵＳＤ）、衣料品（３００〜３５０ＵＳＤ）、電子機器（アドホック「パターンなし」）、ゲーム（５０〜７０ＵＳＤ）、および／または旅行（６００〜９００ＵＳＤ）など、毎月各カテゴリにおいて費やされる金額の支出範囲を、ユーザ１１０の金銭的取引の時間分析に基づいて計算することもできる。これは、コントローラ４０２によって、複数のインスタンシエイションの各々の将来の使用を自動的に制御するために様々な機械学習および／または自己学習アルゴリズムを使用して学習され得る。
【００６３】
一実施形態によれば、支出制御情報は、仮想通貨手段の各インスタンシエイションにおいて共通であり得る。例えば、仮想通貨手段は、図５Ｃに図示され、説明されているように、例示的なＧＵＩの使用によって仮想通貨手段の同じ支出制御情報を用いて第１のウェアラブルデバイス１０２ａのためにインスタンス化され得る。これは、第１のウェアラブルデバイス１０２ａの支出制御情報の継承特徴と呼ばれ得る。代替的に、支出制御情報は、同じであっても異なっていてもよく、第１のウェアラブルデバイス１０２ａおよび／または第２のウェアラブルデバイス１０２ｂに関連付けられた各インスタンシエイションのために構成可能であり得る。各インスタンシエイションのための支出制御情報を設定するための構成の一例が、図５Ｄにおいて図示され、説明されている。この場合、第１のウェアラブルデバイス１０２ａの支出制御情報はさらに、第２のウェアラブルデバイス１０２ｂの新たに発行されたインスタンシエイションに継承され得る（継承特徴と呼ばれる）。
【００６４】
一実施形態によれば、（第１のウェアラブルデバイス１０２ａからの）第２のウェアラブルデバイス１０２ｂの新たに発行されたインスタンシエイションは、（図５Ｄに示されるように）第１のウェアラブルデバイス１０２ａに関連付けられた以前の取引記録を含まない可能性がある。これによって、ユーザ１１０は、インスタンシエイションの発行の時点から第２のウェアラブルデバイス１０２ｂなど特定のデバイスの使用によって実行される金銭的取引を容易に検討することができる。さらに、ユーザ１１０は、発行されたインスタンシエイションに基づいて仮想通貨手段を使用するために、近い家族メンバーなど、信頼できるユーザに第２のウェアラブルデバイス１０２ｂをハンドオーバする可能性もある。一実装形態では、第１のウェアラブルデバイス１０２ａからの、またはディスプレイデバイス１０２ｃにおいてレンダリングされる例示的なＧＵＩ（図５Ａ）の使用によって、ユーザ１１０は、信頼されたユーザによって使用されるとき、第２のウェアラブルデバイス１０２ｂのカスタマイズされた支出制御情報をプリセットし得る。例えば、カスタマイズされた支出制御情報は、信頼できるユーザのために１ヶ月間費やすことができる金銭的総予算、異なる月の異なる金銭的総予算（クリスマスのお祝い月のためのより多くの予算など）、いくつかのカテゴリのための制限された金銭的取引（許可されていない電子機器アイテムの購入）、様々な支出カテゴリについてのカスタマイズされた支出範囲、またはあらかじめ指定された金銭的な制限を超えて個々の金銭的取引を行う前に、ユーザ１１０からの承認を受けるための承認機構（例えば、取引当たりまたは「５００ＵＳＤ」の１日の制限など）であり得る。
【００６５】
コントローラ４０２は、制御情報に基づいて、トークンサーバ１０４に応答を送信し得る。応答は、購入要求が発行元１０６によって受け入れられたときの第１の応答、または購入要求が発行元１０６によって拒否されたときの第２の応答であり得る。
【００６６】
一実施形態によれば、仮想通貨手段の複数のインスタンシエイションが複数の電子デバイス１０２について登録されると、ユーザ１１０は、発行済みトークンのトークンサーバ１０４への送信に基づいて、データ取得の要求を生成し得る。データ取得要求は、ディスプレイデバイス１０２ｃを介してユーザ１１０によって生成され得る。コントローラ４０２は、ＰＡＮデータおよびディスプレイデバイス１０２ｃの電子デバイス情報をトークンサーバ１０４から受信し得る。コントローラ４０２は、ＰＡＮデータの妥当性検査を行い、複数の電子デバイス１０２に関連付けられたデバイスプロファイルを取り出し得る。そのような複数の電子デバイス１０２は、ユーザ１１０に関連付けられた仮想通貨手段の複数のインスタンシエイションに対応し得る。コントローラ４０２は、さらに、データベース４０６からユーザ１１０のユーザプロファイルを取り出し得る。
【００６７】
コントローラ４０２は、複数の電子デバイス１０２の取り出されたデバイスプロファイルおよびユーザ１１０のユーザプロファイルに基づいて、トークン情報を決定し得る。トークン情報は、トークンが発行される複数の電子デバイス１０２の関連する電子デバイス情報を含み得る。トークン情報は、関連するトークンの発行日および／または有効期限の少なくとも１つを示し得る時間情報をさらに含み得る。トークン情報は、関連するトークンにリンクされた仮想通貨手段情報をさらに含み得る。
【００６８】
コントローラ４０２は、仮想通貨手段の複数のインスタンシエイションの決定されたトークン情報を、トランシーバ４０８を介してトークンサーバ１０４に送信し得る。トークンサーバ１０４はさらに、トークン情報を、トランシーバ３０８を介してディスプレイデバイス１０２ｃに送信し得る。ディスプレイデバイス１０２ｃは、複数のインスタンシエイションの受信されたトークン情報をダッシュボード上にレンダリングし得る。
【００６９】
図５Ａは、本開示の一実施形態による、ディスプレイデバイスにおいてレンダリングされる第１の例示的なＧＵＩである。図５Ａは、図１および図４の要素と関連して説明される。図５Ａを参照すると、ユーザ１１０からの入力を受信するためにディスプレイデバイス１０２ｃのダッシュボード２０６ｃにおいてレンダリングされた第１の例示的なＧＵＩ５００ａが示されている。発行元１０６は、ユーザ１１０から受信された入力に基づいて、登録された電子デバイスの制御情報を変更し得る。第１の例示的なＧＵＩ５００ａは、第１のグラフィカル要素５０２、第２のグラフィカル要素５０６、第３のグラフィカル要素５０８、第４のグラフィカル要素５１０、および第５のグラフィカル要素５１２を含み得る。
【００７０】
第１のグラフィカル要素５０２は、スマートフォンなどの登録された第１のウェアラブル電子デバイス１０２ａにおけるモバイルウォレットなどの仮想通貨手段５０４に対応する。第２のグラフィカル要素５０６は、第１のウェアラブル電子デバイス１０２ａに発行されたトークンに関連する情報に対応する。第３のグラフィカル要素５０８は、第１のウェアラブル電子デバイス１０２ａに発行されたトークンに対応する取引情報に対応する。取引情報は、金銭的取引額と、第１のウェアラブル電子デバイス１０２ａのための仮想通貨手段５０４のインスタンシエイション以降の日付および／または時間とを含み得る。
【００７１】
第４のグラフィカル要素５１０は、第１のウェアラブル電子デバイス１０２ａのための仮想通貨手段５０４のインスタンシエイションの支出制御情報に対応する。支出制御情報は、金額制限５１０ａ、位置制限５１０ｂ、および／またはオンライン−オフラインショッピングカテゴリ５１０ｃ制限を含み得る。各金銭的取引の金額制限５１０ａは、毎日、毎週、または毎月の金銭的取引についての金額の上限に対応し得る。位置制限５１０ｂは、金銭的取引についての地理的境界の制限に対応し得る。オンライン−オフラインショッピングカテゴリ５１０ｃ制限は、金銭的取引についての「Ｆａｓｔ  ｆｏｏｄ」などの支出カテゴリ制御に対応し得る。第５のグラフィカル要素５１２は、複数の選択可能な制御ボタンに対応する。複数の選択可能な制御ボタンは、第１のウェアラブル電子デバイス１０２ａのための仮想通貨手段５０４のインスタンシエイションに関連する情報を更新するように構成された第１のボタン５１２ａを含み得る。複数の制御ボタンは、第１のウェアラブル電子デバイス１０２ａのための仮想通貨手段５０４のインスタンシエイションを一時的に非アクティブ化するように構成された第２のボタン５１２ｂを含み得る。複数の制御ボタンは、発行元１０６から仮想通貨手段５０４のインスタンシエイションを永続的に削除するように構成された第３のボタン５１２ｃをさらに含み得る。
【００７２】
図５Ｂは、本開示の一実施形態による、ディスプレイデバイスのダッシュボードにおいてレンダリングされる第２の例示的なＧＵＩである。図５Ｂは、図１および図２の要素と関連して説明される。図５Ｂを参照すると、ディスプレイデバイス１０２ｃのダッシュボード２０６ｃにおいてレンダリングされる第２の例示的なＧＵＩ５００ｂが示されている。第２の例示的なＧＵＩ５００ｂは、第１のグラフィカル要素５０２、第２のグラフィカル要素５０６、第３のグラフィカル要素５０８、および第６のグラフィカル要素５１４を含み得る。第１のグラフィカル要素５０２、第２のグラフィカル要素５０６、および第３のグラフィカル要素５０８は、図５Ａに記載されている。
【００７３】
第６のグラフィカル要素５１４は、複数の列および複数の行を含み得る表を含み得る。この表は、図５Ａで説明したように、第１のウェアラブル電子デバイス１０２ａでの仮想通貨手段５０４の第１のインスタンシエイションの使用によって実行された最近の金銭的取引に対応し得る。それにもかかわらず、本開示はそれに限定されなくてよく、複数の電子デバイス１０２の第１のウェアラブル電子デバイス１０２ａなど他の電子デバイスでの他のインスタンシエイションの使用によって実行される最近の取引は、本開示の範囲から逸脱することなく、第２の例示的なＧＵＩ５００ｂにおいてもレンダリングされ得る。
【００７４】
表内の複数の列は、第１の列、第２の列、第３の列、第４の列、第５の列、および第６の列を含み得る。「Ｄａｔｅ  ５１４ａ」などの第１の列は、金銭的取引が実行された日にちに対応する。「Ｔｉｍｅ  ５１４ｂ」などの第２の列は、金銭的取引が実行された時刻に対応する。「Ｍｅｒｃｈａｎｔ  ５１４ｃ」などの第３の列は、金銭的取引が実行された商店に対応する。「Ｌｏｃａｔｉｏｎ  ５１４ｄ」などの第４の列は、金銭的取引が実行された商店の位置に対応する。「Ｐｒｏｄｕｃｔ  ５１４ｅ」などの第５の列は、金銭的取引が実行された製品に対応する。「Ａｍｏｕｎｔ  ５１４ｆ」などの第６の列は、金銭的取引が実行された金銭的値に対応する。
【００７５】
図５Ｃは、本開示の一実施形態による、ディスプレイデバイスにおいてレンダリングされる第３の例示的なＧＵＩである。図５Ｃは、図１および図４の要素と関連して説明される。図５Ｃを参照すると、ディスプレイデバイス１０２ｃから継承された第１のウェアラブル電子デバイス１０２ａの支出制御情報５１０を示す、ディスプレイデバイス１０２ｃのダッシュボード２０６ｃにおいてレンダリングされる第３の例示的なＧＵＩ５００ｃが示されている。発行済みトークンに対応する情報は、仮想通貨手段５１４および第１のウェアラブル電子デバイス１０２ａについて同じであり得る。
【００７６】
第３の例示的なＧＵＩ５００ｃは、第１のグラフィカル要素５０２、第２のグラフィカル要素５１６、第３のグラフィカル要素５１８、第４のグラフィカル要素５２０、および第５のグラフィカル要素５１２を含み得、それぞれ、第１の例示的なＧＵＩ５００ａにおける第１のグラフィカル要素５０２、第２のグラフィカル要素５０６、第３のグラフィカル要素５０８、第４のグラフィカル要素５１０、および第５のグラフィカル要素５０２と類似している。
【００７７】
第１のグラフィカル要素５１２は、モバイルウォレットなどの仮想通貨手段５１４を含む、スマートフォンなど登録された第１のウェアラブル電子デバイス１０２ａに対応する。第２のグラフィカル要素５１６は、第１のウェアラブル電子デバイス１０２ａに発行されたトークンに関連する情報に対応する。トークン情報は、仮想通貨手段５１４および第１のウェアラブル電子デバイス１０２ａについて同じであり得る。第３のグラフィカル要素５１８は、第１のウェアラブル電子デバイス１０２ａに発行されたトークンに対応する取引情報に対応する。取引情報は、金銭的取引額と、第１のウェアラブル電子デバイス１０２ａのための仮想通貨手段５１４のインスタンシエイション以降の日付および／または時間とを含み得る。
【００７８】
第３の例示的なＧＵＩ５００ｃは、第２のウェアラブル電子デバイス１０２ｂなど、別のウェアラブルまたはポータブルデバイスのインスタンシエイションの発行前のＧＵＩディスプレイを示す。したがって、第４のグラフィカル要素５２０は、第２のウェアラブル電子デバイス１０２ｂへの（仮想通貨手段５１４の）別のインスタンシエイションの発行前の、第１のウェアラブル電子デバイス１０２ａからの支出制御情報５１０の継承前構成と呼ばれ得る。一実施形態によれば、第３の例示的なＧＵＩ５００ｃは、ディスプレイデバイス１０２ｃの代わりに、構成のために第１のウェアラブル電子デバイス１０２ａにおいてレンダリングされ得る。
【００７９】
支出制御情報は、金額制限５２０ａ、位置制限５２０ｂ、および／またはオンライン−オフラインショッピングカテゴリ５２０ｃ制限を含み得、これらはそれぞれ、第１の例示的なＧＵＩ５００ａに記載されている、金額制限５１０ａ、位置制限５１０ｂ、および／またはオンライン−オフラインショッピングカテゴリ５１０ｃ制限と類似している。第５のグラフィカル要素５２２は、複数の選択可能な制御ボタンに対応する。複数の選択可能な制御ボタンは、第１のウェアラブル電子デバイス１０２ａのための仮想通貨手段５１４のインスタンシエイションに関連する情報を更新するように構成された第１のボタン５２２ａを含み得る。複数の制御ボタンは、第１のウェアラブル電子デバイス１０２ａのための仮想通貨手段５１４のインスタンシエイションを一時的に非アクティブ化するように構成された第２のボタン５２２ｂを含み得る。複数の制御ボタンは、発行元１０６から仮想通貨手段５１４のインスタンシエイションを永続的に削除するように構成された第３のボタン５１２ｃをさらに含み得る。
【００８０】
図５Ｄは、本開示の一実施形態による、ディスプレイデバイスにおいてレンダリングされる第４の例示的なＧＵＩである。図５Ｄは、図１および図４の要素と関連して説明される。図５Ｄを参照すると、第２のウェアラブル電子デバイス１０２ｂについての新たに発行されたインスタンシエイションに対する第１のウェアラブル電子デバイス１０２ａの支出制御情報５１０の継承特徴を示すディスプレイデバイス１０２ｃのダッシュボード２０６ｃにおいてレンダリングされる第４の例示的なＧＵＩ５００ｄが示されている。継承特徴は、第２のウェアラブル電子デバイス１０２ｂに対して第１のウェアラブル電子デバイス１０２ａについて設定された特徴および制御情報（例えば、支出制御情報５１０）の自動継承に対応し得る。第４の例示的なＧＵＩ５００ｄは、第１のグラフィカル要素５２２、第２のグラフィカル要素５２６、第３のグラフィカル要素５２８、第４のグラフィカル要素５３０、および第５のグラフィカル要素５３２を含み得、それぞれ、第１の例示的なＧＵＩ５００ａにおける第１のグラフィカル要素５０２、第２のグラフィカル要素５０６、第３のグラフィカル要素５０８、第４のグラフィカル要素５１０、および第５のグラフィカル要素５０２と類似している。
【００８１】
第１のグラフィカル要素５１２は、モバイルウォレットなどの仮想通貨手段５１４を含むスマートウォッチなど登録された第２のウェアラブル電子デバイス１０２ｂに対応する。第２のグラフィカル要素５２６は、ブランクである第２のウェアラブル電子デバイス１０２ｂについて新たに発行されたインスタンシエイションに発行されたトークンに関連する情報に対応する。第３のグラフィカル要素５２８は、ブランクである第２のウェアラブル電子デバイス１０２ｂについて新たに発行されたインスタンシエイションに発行されたトークンに対応する取引情報に対応する。
【００８２】
第４のグラフィカル要素５３０は、第２のウェアラブル電子デバイス１０２ｂのための仮想通貨手段５２４のインスタンシエイションの支出制御情報に対応する。支出制御情報は、金額制限５３０ａ、位置制限５３０ｂ、および／またはオンライン−オフラインショッピングカテゴリ５３０ｃ制限を含み得、これらはそれぞれ、第１の例示的なＧＵＩ５００ａに記載されている、金額制限５１０ａ、位置制限５１０ｂ、および／またはオンライン−オフラインショッピングカテゴリ５１０ｃ制限と類似している。第５のグラフィカル要素５３２は、複数の選択可能な制御ボタンに対応する。複数の選択可能な制御ボタンは、第２のウェアラブル電子デバイス１０２ｂのための仮想通貨手段５２４のインスタンシエイションに関連する情報を更新するように構成された第１のボタン５３２ａを含み得る。複数の制御ボタンは、第２のウェアラブル電子デバイス１０２ｂのための仮想通貨手段５２４のインスタンシエイションを一時的に非アクティブ化するように構成された第２のボタン５３２ｂを含み得る。複数の制御ボタンは、発行元１０６から仮想通貨手段５２４のインスタンシエイションを永続的に削除するように構成された第３のボタン５３２ｃをさらに含み得る。
【００８３】
一実装形態では、第１のウェアラブルデバイス１０２ａからの、またはディスプレイデバイス１０２ｃにおいてレンダリングされる第１の例示的なＧＵＩ５００ａの使用によって、ユーザ１１０は、図４で前に説明したように、信頼されたユーザによって使用されるとき、第２のウェアラブルデバイス１０２ｂの支出制御情報を構成し、カスタマイズし得る。そのような場合、第２のウェアラブルデバイス１０２ｂの支出制御情報は、部分的に継承され、部分的にカスタマイズされ得る。
【００８４】
図６Ａは、本開示の一実施形態による、仮想通貨手段の複数のインスタンシエイションの登録のための第１の例示的なシーケンスタイミング図を示す。図６Ａは、図１〜図４の要素と関連して説明される。例示的なシーケンスタイミング図６００ａは、第１のウェアラブル電子デバイス１０２ａのコントローラ２０２、トークンサーバ１０４のコントローラ３０２、および発行元１０６のコントローラ４０２に関連付けられたユーザ１１０を含み得る。
【００８５】
時刻「Ｔ＿６０２」において、ユーザ１１０は、コントローラ２０２に登録要求を提供し得る。時刻「Ｔ＿６０４」において、コントローラ２０２は、受信された登録要求をコントローラ３０２に送信し得る。時刻「Ｔ＿６０６」において、コントローラ３０２は、受信された登録要求をコントローラ３０２に送信し得る。時刻「Ｔ＿６０６」において、コントローラ４０２は、複数の登録要求において受信された情報に基づいて、ユーザ１１０のユーザアカウントを確認し得る。また、コントローラ４０２は、受信された情報に基づいて、ユーザ１１０に関連付けられた仮想通貨手段について、第１のウェアラブル電子デバイス１０２の識別情報を確認し得る。
【００８６】
時刻「Ｔ＿６１０」において、コントローラ４０２は、承認をコントローラ３０２に送信し得る。時刻「Ｔ＿６１２」において、承認に基づいて、コントローラ３０２は、ユーザ１１０に関連付けられた仮想通貨手段のためのトークンを生成し得る。時刻「Ｔ＿６１４」において、コントローラ３０２は、ユーザ１１０に関連付けられた第１のウェアラブル電子デバイス１０２ａのコントローラ２０２にトークンを発行し得る。時刻「Ｔ＿６１６」において、仮想通貨手段は、関連付けられたトークンに基づいてコントローラ２０２によってインスタンス化され得る。時刻「Ｔ＿６１８」において、コントローラ２０２は、仮想通貨手段のインスタンシエイションのプロビジョニングを実行し得る。時刻「Ｔ＿６２０」において、コントローラ２０２は、コントローラ３０２に通知を送信し得る。この通知は、仮想通貨手段の正常にプロビジョニングされたインスタンシエイションに対応し得る。時刻「Ｔ＿６２２」において、コントローラ３０２は、コントローラ４０２に通知をさらに送信し得る。時刻「Ｔ＿６２４」において、コントローラ４０２は、第１のウェアラブル電子デバイス１０２ａのための仮想通貨手段のインスタンシエイションを、ユーザ１１０のユーザプロファイルに登録し得る。簡略化のために、第１のウェアラブル電子デバイス１０２ａの登録は、例示的なシーケンスタイミング図６００ａにおいて説明されている。しかしながら、本開示はそれに限定されず、複数の電子デバイス１０２の複数の登録が、本開示の範囲を限定することなく、並行して行われてもよい。
【００８７】
図６Ｂは、本開示の一実施形態による、仮想通貨手段の複数のインスタンシエイションの使用の制御のための第２の例示的なシーケンスタイミング図を示す。図６Ｂは、図１〜図４の要素と関連して説明される。例示的なシーケンスタイミング図６００ｂは、複数の電子デバイス１０２、トークンサーバ１０４、および発行元１０６に関連付けられたユーザ１１０を含み得る。例示的なシーケンスタイミング図６００ｂは、第１のウェアラブル電子デバイス１０２ａのコントローラ２０２、トークンサーバ１０４のコントローラ３０２、および発行元１０６のコントローラ４０２に関連付けられたユーザ１１０を含み得る。
【００８８】
時刻「Ｔ＿６２６」において、ユーザ１１０は、第１のウェアラブル電子デバイス１０２ａを介して、金銭的取引の購入要求を開始し得る。時刻「Ｔ＿６２８」において、コントローラ２０２は、購入要求、発行済みトークン、および／または電子デバイス情報をコントローラ３０２に送信し得る。時刻「Ｔ＿６３０」において、コントローラ３０２は、受信されたトークンの妥当性検査を行い、妥当性検査が行われたトークンのＰＡＮデータを取り出し得る。時刻「Ｔ＿６３２」において、コントローラ３０２は、取り出されたＰＡＮデータおよび第１のウェアラブル電子デバイス１０２ａの電子デバイス情報をコントローラ４０２に送信し得る。時刻「Ｔ＿６３４」において、コントローラ４０２は、ＰＡＮデータの妥当性検査を行い、第１のウェアラブル電子デバイス１０２ａの受信された電子デバイス情報からデバイスプロファイルを取り出し得る。時刻「Ｔ＿６３６」において、コントローラ４０２は、仮想通貨手段の複数のインスタンシエイションの各々の使用を制御するために、第１のウェアラブル電子デバイス１０２ａの取り出されたデバイスプロファイルおよびユーザ１１０のユーザプロファイルに基づいて制御情報を決定し得る。時刻「Ｔ＿６３８」において、制御情報に従って、コントローラ４０２は、第１のウェアラブル電子デバイス１０２ａのデバイスプロファイルに基づいて、コントローラ３０２に応答を送信し得る。応答は、購入要求がコントローラ４０２によって受け入れられたときの第１の応答、または購入要求がコントローラ４０２によって拒否されたときの第２の応答であり得る。時刻「Ｔ＿６４０」において、コントローラ３０２は、コントローラ２０２に第１または第２の応答を送信し得る。時刻「Ｔ＿６４２」において、コントローラ２０２は、複数の電子デバイス１０２に発行されたトークン情報をレンダリングし得る。
【００８９】
図６Ｃは、本開示の一実施形態による、ディスプレイデバイスにおいてトークン情報を表示するための第３の例示的なシーケンスタイミング図を示す。図６Ｃは、図１〜図４の要素と関連して説明される。例示的なシーケンスタイミング図６００ｃは、ディスプレイデバイス１０２ｃのコントローラ２０２、トークンサーバ１０４のコントローラ３０２、および発行元１０６のコントローラ４０２に関連付けられたユーザ１１０を含み得る。一実施形態によれば、ディスプレイデバイス１０２ｃは、複数の電子デバイス１０２のうちの１つの電子デバイスであってもよい。一実施形態によれば、ディスプレイデバイス１０２ｃは、複数の電子デバイス１０２と異なっていてもよい。
【００９０】
時刻「Ｔ＿６４４」において、ユーザ１１０は、ディスプレイデバイス１０２ｃのコントローラ２０２にデータ取得要求を提供し得る。時刻「Ｔ＿６４６」において、コントローラ２０２は、ディスプレイデバイス１０２ｃのデータ取得要求および電子デバイス情報をコントローラ３０２に送信し得る。時刻「Ｔ＿６４８」において、コントローラ３０２は、受信されたトークンの妥当性検査を行い、妥当性検査が行われたトークンのＰＡＮデータを取り出し得る。時刻「Ｔ＿６５０」において、コントローラ３０２は、取り出されたＰＡＮデータおよびディスプレイデバイス１０２ｃの電子デバイス情報をコントローラ４０２に送信し得る。時刻「Ｔ＿６５２」において、コントローラ４０２は、ＰＡＮデータの妥当性検査を行い、複数の電子デバイス１０２に関連付けられたデバイスプロファイルを取り出し得る。時刻「Ｔ＿６５４」において、コントローラ４０２は、複数の電子デバイス１０２の取り出されたデバイスプロファイルおよびユーザ１１０のユーザプロファイルに基づいて、トークン情報を決定し得る。時刻「Ｔ＿６５６」において、コントローラ４０２は、複数の電子デバイス１０２の決定されたトークン情報をコントローラ３０２に送信し得る。時刻「Ｔ＿６５８」において、コントローラ３０２は、複数の電子デバイス１０２のトークン情報をコントローラ２０２に送信し得る。時刻「Ｔ＿６６０」において、ディスプレイデバイス１０２ｃのコントローラ２０２は、複数の電子デバイス１０２の受信されたトークン情報をディスプレイデバイス１０２ｃのダッシュボード２０６ａ上にレンダリングし得る。
【００９１】
図７Ａは、本開示の一実施形態による、電子デバイスの登録のための第１の方法を示す第１のフローチャートを示す。図７Ａは、図１〜図４の要素と関連して説明される。図７Ａを参照すると、方法７００ａが示されている。方法７００ａは、登録のために複数の電子デバイス１０２において実施され得る。方法７００ａは、方法ステップ７０２ａで開始し、方法ステップ７０４ａに進む。
【００９２】
ステップ７０４ａにおいて、複数の電子デバイス１０２を介した複数の登録要求が、仮想通貨手段に関連付けられたユーザ１１０から受信され得る。ステップ７０６ａにおいて、複数の登録要求がトークンサーバ１０４に送信され得る。ステップ７０８ａにおいて、ユーザ１１０に関連付けられた仮想通貨手段のためにトークンサーバ１０４によって発行された複数のトークンが受信され得る。ステップ７１０ａにおいて、仮想通貨手段は、複数のトークンの使用によってインスタンス化され得る。インスタンシエイションは、受信されたトークン内の情報、仮想通貨手段のＰＡＮデータ、仮想通貨手段に関連するメタデータ、複数の電子デバイス１０２の電子デバイス情報、および／またはユーザ１１０のユーザクレデンシャルの少なくとも一部に基づき得る。ステップ７１２ａにおいて、仮想通貨手段の複数のインスタンシエイションが複数の電子デバイス１０２においてプロビジョニングされ得る。ステップ７１４ａにおいて、通知がトークンサーバ１０４に送信され得る。この通知は、仮想通貨手段の正常にプロビジョニングされた複数のインスタンシエイションに対応し得る。受信された通知に基づいて、発行元１０６は、複数の電子デバイス１０２のための仮想通貨手段の複数のインスタンシエイションを、ユーザ１１０のユーザプロファイルに登録し得る。制御は終了ステップ７１６ａに進む。
【００９３】
図７Ｂは、本開示の一実施形態による、購入要求のための電子デバイスにおいて実施される第２の方法を示す第２のフローチャートを示す。図７Ｂは、図１〜図４の要素と関連して説明される。図７Ｂを参照すると、方法７００ｂが示されている。方法７００ｂは、第１のウェアラブル電子デバイス１０２ａなど、複数の電子デバイス１０２のうちの１つに実装され得る。方法７００ｂは、方法ステップ７０２ｂで開始し、方法ステップ７０４ｂに進む。
【００９４】
ステップ７０４ｂにおいて、購入要求、関連するトークン、および電子デバイス情報が、第１のウェアラブル電子デバイス１０２ａによってトークンサーバ１０４に送信され得る。ステップ７０６ｂにおいて、応答がトークンサーバ１０４から受信され得る。一実施形態によれば、応答は、購入要求が発行元１０６によって受け入れられたときの第１の応答であり得る。一実施形態によれば、応答は、購入要求が発行元１０６によって拒否されたときの第２の応答であり得る。制御は終了ステップ７０８ｂに進む。
【００９５】
図７Ｃは、本開示の一実施形態による、データ取得要求のための電子デバイスにおいて実施される第３の方法を示す第３のフローチャートを示す。図７Ｃは、図１〜図４の要素と関連して説明される。図７Ｃを参照すると、方法７００ｃが示されている。方法７００ｃは、ディスプレイデバイス１０２ｃなど、複数の電子デバイス１０２のうちの１つに実装され得る。方法７００ｃは、方法ステップ７０２ｃで開始し、方法ステップ７０４ｃに進む。
【００９６】
ステップ７０４ｃにおいて、データ取得要求、関連するトークン、および電子デバイス情報が、トークンサーバ１０４に送信され得る。ステップ７０６ｃにおいて、仮想通貨手段の複数のインスタンシエイションの必要なトークン情報が、トークンサーバ１０４から受信され得る。ステップ７０４ｃにおいて、仮想通貨手段の複数のインスタンシエイションに関連する受信されたトークン情報がダッシュボード２０６ｃにおいてレンダリングされ得る。制御は終了ステップ７１０ｃに進む。
【００９７】
図８Ａは、本開示の一実施形態による、複数のインスタンシエイションを登録するためのトークンサーバにおいて実施される第１の方法を示す第１のフローチャートを示す。図８Ａは、図１〜図４の要素と関連して説明される。図８Ａを参照すると、方法８００ａが示されている。方法８００ａは、複数のインスタンシエイションの登録のためにトークンサーバ１０４において実装され得る。方法８００ａは、方法ステップ８０２ａで開始し、方法ステップ８０４ａに進む。
【００９８】
ステップ８０４ａにおいて、複数の電子デバイス１０２によって生成された複数の登録要求が受信され得る。ステップ８０６ａにおいて、受信された複数の登録要求が発行元１０６に送信され得る。ステップ８０８ａにおいて、承認が発行元１０６から受信され得る。この承認は、複数の電子デバイス１０２の各々への異なるトークンの発行に対応し得る。ステップ８１０ａにおいて、ユーザ１１０に関連付けられた仮想通貨手段のために、複数のトークンが生成され得る。ステップ８１２ａにおいて、生成された複数のトークンが複数の電子デバイス１０２に発行され得る。ステップ８１４ａにおいて、複数の電子デバイス１０２の各々から通知が受信され得る。この通知は、仮想通貨手段の正常にプロビジョニングされた複数のインスタンシエイションに対応し得る。ステップ８１６ａにおいて、受信された通知が発行元１０６に送信され得る。通知に基づいて、発行元１０６は、複数の電子デバイス１０２のための仮想通貨手段の複数のインスタンシエイションを、ユーザ１１０のユーザプロファイルに登録し得る。制御は終了ステップ８１８ａに進む。
【００９９】
図８Ｂは、本開示の一実施形態による、複数の電子デバイスの第１のカテゴリによって生成された購入要求のためのトークンサーバにおいて実施される第２の方法を示す第２のフローチャートを示す。図８Ｂは、図１〜図４の要素と関連して説明される。図８Ｂを参照すると、方法８００ｂが示されている。方法８００ｂは、方法ステップ８０２ｂで開始し、方法ステップ８０４ｂに進む。
【０１００】
ステップ８０４ｂにおいて、購入要求のために、複数の電子デバイス１０２の第１のカテゴリから複数のトークンが受信され得る。ステップ８０６ｂにおいて、受信された複数のトークンの妥当性検査が行われ得る。ステップ８０８ｂにおいて、妥当性検査が行われた複数のトークンについて、トークンボールト３０６の問合せが行われ得る。ステップ８１０ｂにおいて、複数のトークンがトークンボールト内に存在するかどうかが決定され得る。一実施形態によれば、トークンボールト３０６にそのようなトークンが存在しないとき、制御はステップ８１２ｂに進む。ステップ８１２ｂにおいて、購入要求は終了され、後で監視され得る関連情報が記録され得る。制御は終了ステップ８１４ｂに進む。一実施形態によれば、そのようなトークンがトークンボールト３０６内に見つけられると、制御はステップ８１６ｂに進む。ステップ８１６ｂにおいて、妥当性検査が行われた複数のトークンについて、ＰＡＮデータがトークンボールト３０６から取り出され得る。ステップ８１８ｂにおいて、取り出されたＰＡＮデータおよび複数の電子デバイス１０２の第１のカテゴリの電子デバイス情報が発行元１０６に送信され得る。ステップ８２０ｂにおいて、制御情報に基づいて、発行元１０６から応答が受信され得る。ステップ８２２ｂにおいて、複数の電子デバイス１０２の第１のカテゴリに応答が送信され得る。制御は終了ステップ８１４ｂに進む。
【０１０１】
図９Ａは、本開示の一実施形態による、複数の電子デバイスによって生成された登録要求のための発行元において実施される第１の方法を示す第１のフローチャートを示す。図９Ａは、図１〜図４の要素と関連して説明される。図９Ａを参照すると、方法９００ａが示されている。方法９００ａは、方法ステップ９０２ａで開始し、方法ステップ９０４ａに進む。
【０１０２】
ステップ９０４ａにおいて、複数の登録要求がトークンサーバ１０４から受信され得る。複数の登録要求は、ユーザ１１０に関連付けられた複数の電子デバイス１０２からトークンサーバ１０４によって受信され得る。ステップ９０６ａにおいて、ユーザアカウントおよび複数の電子デバイス１０２の各々の関連する識別情報が、ユーザ１１０に関連付けられた仮想通貨手段について確認され得る。
【０１０３】
ステップ９０８ａにおいて、複数の電子デバイス１０２の各々に異なるトークンを発行するために、トークンサーバ１０４に承認が送信され得る。ステップ９１０ａにおいて、通知がトークンサーバ１０４から受信され得る。この通知は、複数の電子デバイス１０２における仮想通貨手段の正常にプロビジョニングされた複数のインスタンシエイションに対応し得る。ステップ９１２ａにおいて、複数の電子デバイス１０２についての仮想通貨手段の複数のインスタンシエイションが、データベース４０６内のユーザ１１０のユーザプロファイルに登録され得る。ステップ９１４ａにおいて、電子デバイス情報と、仮想通貨手段の登録された複数のインスタンシエイションに対応する仮想通貨手段情報とがデータベース４０６に記憶され得る。制御は終了ステップ９１６ａに進む。
【０１０４】
図９Ｂは、本開示の一実施形態による、複数の電子デバイスの第１のカテゴリによって生成された購入要求のための発行元において実施される第２の方法を示す第２のフローチャートを示す。図９Ｂは、図１〜図４の要素と関連して説明される。図９Ｂを参照すると、方法９００ｂが示されている。方法９００ｂは、方法ステップ９０２ｂで開始し、方法ステップ９０４ｂに進む。
【０１０５】
ステップ９０４ｂにおいて、ＰＡＮデータおよび第１のウェアラブル電子デバイス１０２ａなど複数の電子デバイス１０２の第１のカテゴリの電子デバイス情報がトークンサーバ１０４から受信され得る。ＰＡＮデータは、第１のウェアラブル電子デバイス１０２ａによって生成された購入要求に応答して、トークンサーバ１０４によって取り出され得る。ステップ９０６ｂで、ＰＡＮデータの妥当性検査が行われ、第１のウェアラブル電子デバイス１０２ａの受信された電子デバイス情報に基づいてデバイスプロファイルが取り出され得る。一実施形態によれば、デバイスプロファイルがデータベース４０６から取り出され得る。ステップ９０８ｂにおいて、トークン情報が、第１のウェアラブル電子デバイス１０２ａの取り出されたデバイスプロファイルおよびユーザ１１０のユーザプロファイルに基づいて決定され得る。制御情報に基づいて、仮想通貨手段の複数のインスタンシエイションの各々の使用が制御され得る。
【０１０６】
ステップ９１０ｂにおいて、決定された制御情報に基づいて、応答がトークンサーバ１０４に送信され得る。応答は、購入要求が発行元１０６によって受け入れられたときの第１の応答、または購入要求が発行元１０６によって拒否されたときの第２の応答であり得る。制御は終了ステップ９１２ｂに進む。
【０１０７】
図９Ｃは、本開示の一実施形態による、複数の電子デバイスの第２のカテゴリによって生成されたデータ取得要求の発行元において実施される第３の方法を示す第３のフローチャートを示す。図９Ｃは、図１〜図４の要素と関連して説明される。図９Ｃを参照すると、方法９００ｃが示されている。方法９００ｃは、方法ステップ９０２ｃで開始し、方法ステップ９０４ｃに進む。
【０１０８】
ステップ９０４ｃにおいて、ＰＡＮデータおよびディスプレイデバイス１０２ｃなど複数の電子デバイス１０２の第２のカテゴリの電子デバイス情報がトークンサーバ１０４から受信され得る。ＰＡＮデータおよび電子デバイス情報は、ディスプレイデバイス１０２ｃを介して、ユーザ１１０によって生成されたデータ取得要求に応答して、トークンサーバ１０４によって取り出され得る。ステップ９０６ｃにおいて、ＰＡＮデータの妥当性検査が行われ、ディスプレイデバイス１０２ｃの受信された電子デバイス情報に基づいてデバイスプロファイルが取り出され得る。さらに、ユーザ１１０のユーザプロファイルが、データベース４０６から取り出され得る。ステップ９０８ｃにおいて、トークンサーバ１０４への仮想通貨手段の複数のインスタンシエイションのトークン情報は、ディスプレイデバイス１０２ｃの取り出されたデバイスプロファイルおよびユーザ１１０のユーザプロファイルに基づいて決定され得る。ステップ９１０ｃにおいて、決定されたトークン情報がトークンサーバ１０４に送信され得る。トークンサーバ１０４はさらに、トークン情報をディスプレイデバイス１０２ｃに送信し得る。ディスプレイデバイス１０２ｃは、仮想通貨手段の複数のインスタンシエイションに関連付けられた受信されたトークン情報をダッシュボード上にレンダリングし得る。制御は終了ステップ９１２ｃに進む。
【０１０９】
本開示の一実施形態によれば、発行済みトークン管理のための装置は、トークンサーバ１０４（図１）を介して複数のディスプレイデバイス１０２（図１）と通信するように構成されたインターフェースを含み得る発行元１０６（図１）を含み得る。発行元１０６（図１）はさらに、トークンサーバ１０４から、複数の電子デバイス１０２に関連付けられたユーザ１１０（図１）によって生成された複数の登録要求を受信するように構成されたコントローラ４０２（図４）を含み得る。コントローラ４０２は、ユーザ１１０に関連付けられた仮想通貨手段について、アカウントおよび複数の電子デバイス１０２の各々の対応する識別情報をさらに確認し得る。この確認に基づいて、複数の電子デバイス１０２の各々にトークンを発行するために、トークンサーバ１０４に承認が送信され得る。コントローラ４０２はさらに、複数の電子デバイス１０２のための仮想通貨手段の複数のインスタンシエイションを、ユーザ１１０に関連するユーザプロファイルに登録し得る。発行元１０６はさらに、仮想通貨手段の登録された複数のインスタンシエイション、ならびに対応する電子デバイス情報および仮想通貨手段情報を記憶するように構成されたデータベース４０６（図４）などのメモリを含み得る。
【０１１０】
本開示の別の実施形態によれば、発行済みトークン管理のための装置は、第１のウェアラブル電子デバイス１０２ａ（図１）などの電子デバイス内にコントローラ２０２（図２）を含み得る。コントローラ２０２は、トークンサーバ１０４からトークンを受信するように構成され得る。トークンは、仮想通貨手段のインスタンシエイションに利用される情報を含み得る。コントローラ２０２はさらに、受信されたトークンに基づいて仮想通貨手段の１つ以上のインスタンシエイションのプロビジョニングを実行するように構成され得る。コントローラ２０２はさらに、仮想通貨手段の１つ以上のインスタンシエイションのプロビジョニングの終了の通知をトークンサーバ１０４（図１）に送信し得る。仮想通貨手段の１つ以上のインスタンシエイションは、トークンサーバ１０４に通信可能に結合された発行元によって登録され、制御され得る。
【０１１１】
本開示の別の実施形態によれば、発行済みトークン管理のための装置は、ディスプレイデバイス１０２ａ（図１）内にコントローラ２０２（図２）を含み得る。ディスプレイデバイス１０２ｃは、複数の電子デバイス１０２（図１）に発行されたトークン情報を表示するように構成された、ダッシュボードなどの表示画面を含み得る。トークン情報は、トークンに関連付けられた電子デバイスを示し得る電子デバイス情報を含み得る。トークン情報は、トークンの発行日および／または有効期限の少なくとも１つを示し得る時間情報をさらに含み得る。トークン情報は、トークンにリンクされたクレジットカード、デビットカード、およびプリペイドカード情報の少なくとも１つを示し得る仮想通貨手段情報を含み得る。
【０１１２】
本開示は、ハードウェア、またはハードウェアとソフトウェアとの組合せで実現され得る。本開示は、集中的に、少なくとも１つのコンピュータシステムにおいて、またはいくつかの相互接続されたコンピュータシステムにわたって異なる要素が分散され得る分散方式で実現され得る。本明細書に記載の方法を実施するように適応されたコンピュータシステムまたは他の装置が適し得る。ハードウェアとソフトウェアの組合せは、ロードされ、実行されると、本明細書に記載された方法を実行するようにコンピュータシステムを制御し得るコンピュータプログラムを有する汎用コンピュータシステムであり得る。本開示は、他の機能も実行する集積回路の一部を含むハードウェアで実現され得る。
【０１１３】
本開示は、本明細書に記載された方法の実施を可能にするすべての特徴を含み、コンピュータシステムにロードされると、これらの方法を実行することができコンピュータプログラム製品に埋め込まれてもよい。この文脈では、コンピュータプログラムとは、情報処理能力を有するシステムに、特定の機能を直接的に、またはａ）別の言語、コードまたは表記への変換、ｂ）異なる素材形式での再生のいずれかまたはその両方の後に実施させるように意図された１組の命令の、任意の言語、コード、または表記による任意の表現を意味する。
【０１１４】
本開示は、いくつかの実施形態を参照して説明されているが、本開示の範囲から逸脱することなく、様々な変更がなされ、等価物が置換されてもよいことを、当業者は理解されよう。さらに、その範囲から逸脱することなく、特定の状況または材料を本開示の教示に適合させるように、多くの修正がなされてもよい。したがって、本開示は、開示された特定の実施形態に限定されるのではなく、本開示は、添付の特許請求の範囲内に入るすべての実施形態を含むことが意図される。
【図１】
0006780654.tif 000002
【図２】
0006780654.tif 000003
【図３】
0006780654.tif 000004
【図４】
0006780654.tif 000005
【図５Ａ】
0006780654.tif 000006
【図５Ｂ】
0006780654.tif 000007
【図５Ｃ】
0006780654.tif 000008
【図５Ｄ】
0006780654.tif 000009
【図６Ａ】
0006780654.tif 000010
【図６Ｂ】
0006780654.tif 000011
【図６Ｃ】
0006780654.tif 000012
【図７Ａ】
0006780654.tif 000013
【図７Ｂ】
0006780654.tif 000014
【図７Ｃ】
0006780654.tif 000015
【図８Ａ】
0006780654.tif 000016
【図８Ｂ】
0006780654.tif 000017
【図９Ａ】
0006780654.tif 000018
【図９Ｂ】
0006780654.tif 000019
【図９Ｃ】
0006780654.tif 000020